(57)【要約】【課題】通電時間の値が小さい加熱手段の使用を促し、複数の加熱手段をバランス良く使わせ、加熱調理器としてメンテナンス時期に達するまでの時間を延ばし、複数の加熱手段のメンテナンスがまとめて実施可能となるサービス性が向上した加熱調理器を得ること。【解決手段】本体１の天面に配置され非磁性体の載置部を備えるトッププレート４と、その下方に配設され所定の通電時間が予め設定された複数の加熱手段と、加熱手段の情報を報知する報知手段と、複数の加熱手段の通電時間を各々積算し記憶する積算通電時間記憶手段１９と、積算通電時間記憶手段に記憶された複数の加熱手段の各々の積算通電時間と所定の値を比較する積算通電時間比較手段２０とを備え、積算通電時間が、所定の値よりも大きくなった加熱手段がある場合には、積算通電時間が、所定の値よりも小さい加熱手段の使用を促す報知を行うようにした。【選択図】図４
2010165584.tif 000002
【特許請求の範囲】
【請求項１】
本体の天面に配置され、被調理物を入れた容器が載置可能な、非磁性体の載置部を備えてなるトッププレートと、前記本体内部で前記トッププレート下方に配設され、所定の通電時間が予め設定されている複数の加熱手段と、前記本体内に配設され、前記加熱手段の情報を報知する報知手段と、複数の前記加熱手段の通電時間を各々積算し記憶する積算通電時間記憶手段と、前記積算通電時間記憶手段に記憶された複数の前記加熱手段の、各々の積算通電時間と予め設定した所定の値、または各々の積算通電時間同士を比較する積算通電時間比較手段とを備え、
積算通電時間が、予め設定した第１の所定の値よりも大きくなった前記加熱手段がある場合には、積算通電時間が、予め設定した第１の所定の値よりも小さい前記加熱手段の使用を促す報知を行うようにしたことを特徴とする加熱調理器。
【請求項２】
本体の天面に配置され、被調理物を入れた容器が載置可能な、非磁性体の載置部を備えてなるトッププレートと、前記本体内部で前記トッププレート下方に配設され、所定の通電時間が予め設定されている複数の加熱手段と、前記本体内に配設され、前記加熱手段の情報を報知する報知手段と、複数の前記加熱手段の通電時間を各々積算し記憶する積算通電時間記憶手段と、前記積算通電時間記憶手段に記憶された複数の前記加熱手段の、各々の積算通電時間と予め設定した所定の値、または各々の積算通電時間同士を比較する積算通電時間比較手段とを備え、
前記積算通電時間比較手段で、前記加熱手段各々の積算通電時間を比較し、比較した前記加熱手段各々の積算通電時間の差が、予め設定した第２の所定の値よりも大きくなった場合には、積算通電時間の値が小さい前記加熱手段の使用を促す報知を行うようにしたことを特徴とする加熱調理器。
【請求項３】
本体の天面に配置され、被調理物を入れた容器が載置可能な、非磁性体の載置部を備えてなるトッププレートと、前記本体内部で前記トッププレート下方に配設され、所定の通電時間が予め設定されている複数の加熱手段と、前記本体内に配設され、前記加熱手段の情報を報知する報知手段と、複数の前記加熱手段の通電時間を各々積算し記憶する積算通電時間記憶手段と、前記積算通電時間記憶手段に記憶された複数の前記加熱手段の、各々の積算通電時間と予め設定した所定の値、または各々の積算通電時間同士を比較する積算通電時間比較手段とを備え、
比較した複数の前記加熱手段各々の積算通電時間の差が、予め設定した第３の所定の値よりも大きくなった場合には、積算通電時間の値が小さい前記加熱手段の使用を促す報知と併せ、積算通電時間の値が大きい前記加熱手段の出力を制限することを特徴とする加熱調理器。
【請求項４】
前記加熱手段の出力を制限している時は、出力制限と同率のパラメータを乗じた通電時間を出力制限時の通電時間とすることを特徴とする請求項３記載の加熱調理器。
【請求項５】
前記本体に配設され、前記加熱手段への通電を開始するメインスイッチを備え、前記メインスイッチをＯＮした時に、前記積算通電時間比較手段は、前記積算通電時間記憶手段に記憶されている複数の前記加熱手段の、各々の積算通電時間と予め設定した所定の値、または各々の積算通電時間同士を比較するようにし、複数の前記加熱手段の、各々の通電が完了した時に、前記積算通電時間記憶手段は、各々の積算通電時間を記憶するようにしたことを特徴とする請求項１または請求項２または請求項３または請求項４に記載の加熱調理器。
【請求項６】
前記メインスイッチをＯＮした時に、前記積算通電時間比較手段は、前記積算通電時間記憶手段に記憶されている複数の前記加熱手段の、各々の積算通電時間と予め設定した所定の値、または各々の積算通電時間同士を比較するようにし、前記メインスイッチをＯＦＦした時に、前記積算通電時間記憶手段は、複数の前記加熱手段の、各々の積算通電時間を記憶するようにしたことを特徴とする請求項１または請求項２または請求項３または請求項４に記載の加熱調理器。
【請求項７】
前記報知手段は、複数の前記加熱手段の、各々の積算通電時間、または各々の今後使用可能な通電時間を報知するようにしたことを特徴とする請求項１〜請求項６のいずれかに記載の加熱調理器。
【請求項８】
前記報知手段は、出力制限されている前記加熱手段がある場合、出力制限されていることを報知するようにしたことを特徴とする請求項３〜請求項７のいずれかに記載の加熱調理器。
【請求項９】
前記報知手段は、使用を促した前記加熱手段とは別の前記加熱手段を通電しようとすると、使用を促した前記加熱手段ではないことを報知するようにしたことを特徴とする請求項１〜請求項８のいずれかに記載の加熱調理器。
【請求項１０】
前記メインスイッチをＯＮした時に、メンテナンスが必要となる所定の通電時間に達している前記加熱手段がある場合、該加熱手段はメンテナンスが必要で通電できない状態であることを報知して通電停止とし、その他の前記加熱手段は、メンテナンスが必要となる所定の通電時間に達するまでは通電可能としたことを特徴とする請求項１〜請求項９のいずれかに記載の加熱調理器。
【請求項１１】
通電時間または積算通電時間に代えて通電回数または積算通電回数を記憶し、比較または報知するようにしたことを特徴とする請求項１または請求項２または請求項３または請求項４または請求項５または請求項６または請求項７または請求項１０に記載の加熱調理器。
【発明の詳細な説明】
【技術分野】
【０００１】
本発明は、加熱調理器、詳しくは複数の加熱手段を具備する加熱調理器に関するものである。
【背景技術】
【０００２】
従来、交換を必要とする複数箇の構成部品を有する加熱調理器にあって、運転停止時期に達していれば装置の運転を停止する構成のものが知られている（例えば、特許文献１参照）。
また、加熱調理器で、寿命終了の接近を報知する報知手段を備えたものが知られている（例えば特許文献２参照）。
【先行技術文献】
【特許文献】
【０００３】
【特許文献１】特開平１０−１３２２９０号公報（第１頁、図４）
【特許文献２】特開平７−２７３４１号公報（第１頁、図２）
【発明の概要】
【発明が解決しようとする課題】
【０００４】
しかしながら、従来の加熱調理器では、運転停止時期に達していれば装置全体の運転を停止してしまうため、複数の加熱手段を具備する加熱調理器においては、１つの加熱手段が運転停止時期に達するとまだ運転可能な他の加熱手段も運転が出来なくなるという問題があった。
【０００５】
それから、寿命の接近を報知しても、装置としての寿命であるため、複数の加熱手段を具備する加熱調理器においては、どの加熱手段が寿命に近づいているのか使用者が判り難いという問題があった。
【０００６】
また、使用者は意識しないと、いつも使う加熱手段が固定される傾向にあり、特定箇所の加熱手段の使用頻度が高くなってしまうことから、部分的にメンテナンス時期を迎えてしまう。すると加熱調理器として運転できなくなることから、結果的に加熱調理器のメンテナンス時期が早まってしまうという問題があった。更には、複数の加熱手段毎にメンテナンスが必要となり、メンテナンス費用が嵩んでしまうという問題があった。
【０００７】
本発明は、かかる従来の課題を解決するためのもので、通電時間の値が小さい加熱手段の使用を促し、複数の加熱手段をバランス良く使うことを使用者に意識させ、複数の加熱手段をバランス良く使うことで各々の通電時間を近づけ、複数の加熱手段のメンテナンス時期を揃えることで、加熱調理器としてのメンテナンス時期に達するまでの時間を延ばすことができ、また、複数の加熱手段のメンテナンスをまとめて実施することが可能となるサービス性が向上した加熱調理器を提供することを目的とし、更には加熱手段の１つが先にメンテナンス時期を迎えても、他の加熱手段を通電可能とした、使い勝手の良い加熱調理器を提供することを目的とする。
【課題を解決するための手段】
【０００８】
本発明の加熱調理器は、本体の天面に配置され、被調理物を入れた容器が載置可能な、非磁性体の載置部を備えてなるトッププレートと、前記本体内部で前記トッププレート下方に配設され、所定の通電時間が予め設定されている複数の加熱手段と、前記本体内に配設され、前記加熱手段の情報を報知する報知手段と、複数の前記加熱手段の通電時間を各々積算し記憶する積算通電時間記憶手段と、前記積算通電時間記憶手段に記憶された複数の前記加熱手段の、各々の積算通電時間と予め設定した所定の値を比較する積算通電時間比較手段とを備え、積算通電時間が、予め設定した所定の値よりも大きくなった前記加熱手段がある場合には、積算通電時間が、予め設定した所定の値よりも小さい前記加熱手段の使用を促す報知を行うようにしたものである。
【発明の効果】
【０００９】
本発明の加熱調理器においては、積算通電時間が、予め設定した所定の値よりも大きくなった場合には、積算通電時間の値が小さい前記加熱手段の使用を促す報知を行うようにしたので、使用者に複数の加熱手段をバランス良く使うことを意識させ、複数の加熱手段をバランス良く使うことで各々の通電時間を近づけ、複数の加熱手段のメンテナンス時期を揃えることで、加熱調理器としてのメンテナンス時期に達するまでの時間を延ばすことができる、という効果がある。
【図面の簡単な説明】
【００１０】
【図１】本発明の実施の形態１の加熱調理器の全体構成を示す斜視図。
【図２】本発明の実施の形態１の加熱調理器のトッププレートを取り外した状態の全    体構成を示す斜視図。
【図３】本発明の実施の形態１の加熱調理器の電気的構成を示すブロック図。
【図４】本発明の実施の形態１の加熱調理器の動作説明のためのフローチャート。
【図５】本発明の実施の形態２の加熱調理器の動作説明のためのフローチャート。
【図６】本発明の実施の形態２の加熱調理器の動作説明のためのフローチャート。
【図７】本発明の実施の形態２の加熱調理器の動作説明のためのフローチャート。
【図８】本発明の実施の形態２の加熱調理器の動作説明のためのフローチャート。
【図９】本発明の実施の形態２の加熱調理器の動作説明のためのフローチャート。
【図１０】本発明の実施の形態２の加熱調理器の動作説明のためのフローチャート。
【図１１】本発明の実施の形態２の加熱調理器の動作説明のためのフローチャート。
【図１２】本発明の実施の形態３の加熱調理器の動作説明のためのフローチャート。
【図１３】本発明の実施の形態３の加熱調理器の動作説明のためのフローチャート。
【図１４】本発明の実施の形態３の加熱調理器の動作説明のためのフローチャート。
【図１５】本発明の実施の形態３の加熱調理器の動作説明のためのフローチャート。
【図１６】本発明の実施の形態３の加熱調理器の動作説明のためのフローチャート。
【図１７】本発明の実施の形態３の加熱調理器の動作説明のためのフローチャート。
【図１８】本発明の実施の形態３の加熱調理器の動作説明のためのフローチャート。
【図１９】本発明の実施の形態３の加熱調理器の動作説明のためのフローチャート。
【図２０】本発明の実施の形態３の加熱調理器の動作説明のためのフローチャート。
【図２１】本発明の実施の形態３の加熱調理器の動作説明のためのフローチャート。
【図２２】本発明の実施の形態３の加熱調理器の動作説明のためのフローチャート。
【図２３】本発明の実施の形態３の加熱調理器の動作説明のためのフローチャート。
【図２４】本発明の実施の形態３の加熱調理器の動作説明のためのフローチャート。
【図２５】本発明の実施の形態４の加熱調理器の動作説明のためのフローチャート。
【図２６】本発明の実施の形態５の加熱調理器の動作説明のためのフローチャート。
【図２７】本発明の実施の形態６の加熱調理器の動作説明のためのフローチャート。
【図２８】本発明の実施の形態７の加熱調理器の動作説明のためのフローチャート。
【図２９】本発明の実施の形態７の加熱調理器の動作説明のためのフローチャート。
【図３０】本発明の実施の形態８の加熱調理器の動作説明のためのフローチャート。
【図３１】本発明の実施の形態８の加熱調理器の動作説明のためのフローチャート。
【図３２】本発明の実施の形態９の加熱調理器の動作説明のためのフローチャート。
【図３３】本発明の実施の形態９の加熱調理器の電気的構成を示すブロック図。
【図３４】本発明の実施の形態９の加熱調理器の動作説明のためのフローチャート。
【図３５】本発明の実施の形態９の加熱調理器の動作説明のためのフローチャート。
【図３６】本発明の実施の形態１０の加熱調理器の動作説明のためのフローチャート。
【図３７】本発明の実施の形態１０の加熱調理器の動作説明のためのフローチャート。
【発明を実施するための形態】
【００１１】
実施の形態１．
図１は本発明の実施の形態１の加熱調理器の全体構成を示す斜視図、図２は本発明の実施の形態１の加熱調理器のトッププレートを取り外した状態の全体構成を示す斜視図、図３は本発明の実施の形態１の加熱調理器の電気的構成を示すブロック図、図４は本発明の実施の形態１の加熱調理器の動作説明のためのフローチャートである。
【００１２】
図１に示すように、本発明の実施の形態１の加熱調理器は、加熱調理器の本体１の天面に被調理物を収容した容器２を載置可能な非磁性体、例えば光透過性を備えた結晶化ガラスからなる載置部を備え、外周にはシリコン系接着剤で固着された金属、例えばステンレスで構成された枠体３を備えてなるトッププレート４を備えている。それから、トッププレート４に各種の操作入力を行う天面操作手段５を備え、本体１に各種の操作入力を行う前面操作手段６と、加熱調理器の電源を入切するメインスイッチ７を備えている。
【００１３】
また、図２に示すように、トッププレート４の下方には、複数の加熱手段、例えば誘導加熱コイルからなる電磁誘導加熱方式の加熱手段ａ８、加熱手段ｂ９、加熱手段ｃ１０が配設されている。
【００１４】
ここで、電磁誘導加熱方式とは、電磁誘導の原理を利用した加熱方式のことを言い、誘導加熱コイルに高周波交流電流を印加すると回転した磁力線が発生し誘導加熱コイル内部には一様な磁界が発生する。磁界が誘導加熱コイルを貫通すると誘導加熱コイル内部では磁束変化を妨げる磁界が発生し、被加熱物に渦電流が流れ高周波交流電流、例えば２０〜９０ｋＨｚの交流電流を印加することで流れ続ける。それで被加熱物の電気抵抗と渦電流によってジュール熱が発生することにより被加熱物が発熱する加熱方式のことを言う。    また、誘導加熱コイルは高周波交流電流が流れていることで高温となって誘導加熱コイルの絶縁劣化が進行することが、電磁誘導加熱方式の加熱手段の劣化の主な原因の１つとなっている。
【００１５】
それから、本体１内に後述するＣＰＵ１８やその他電子部品を搭載した制御基板等からなり天面操作手段５と前面操作手段６からの操作入力により加熱調理器を制御する制御手段１１が配設されている。さらに、トッププレート４の下方には、種々の情報を表示の形で報知する報知手段ａ１２、報知手段ｂ１３、報知手段ｃ１４が配設され、トッププレート４には報知手段ａ１２、報知手段ｂ１３、報知手段ｃ１４の表示内容を透過して表示する表示窓ａ１５、表示窓ｂ１６、表示窓ｃ１７を備えている。
【００１６】
次に、本発明の実施の形態１の加熱調理器の電気的構成について図３に基づいて説明する。
図３に示すように、制御手段１１はＣＰＵ１８と積算通電時間記憶手段１９と積算通電時間比較手段２０とを備える。制御手段１１には天面操作手段５と前面操作手段６とメインスイッチ７の各信号が入力される。また、積算通電時間記憶手段１９には加熱手段ａ８、加熱手段ｂ９、加熱手段ｃ１０の積算通電時間が各々積算され記憶されるようになっており、メインスイッチがＯＮになると各々の加熱手段の積算通電時間が読み出される。それから、積算通電時間比較手段２０は、積算通電時間記憶手段１９から読み出された各々の加熱手段の積算通電時間と所定の値を比較、または各々の加熱手段の積算通電時間同士を比較するようになっている。
さらに、制御手段１１は、加熱手段ａ８を駆動するインバータ回路ａ２１、加熱手段ｂ９を駆動するインバータ回路ｂ２２、加熱手段ｃ１０を駆動するインバータ回路ｃ２３と、報知手段ａ１２、報知手段ｂ１３、報知手段ｃ１４と、に各種指令を出す。
【００１７】
ここで、ＣＰＵとはプログラムによって、機器の制御やデータの計算などを行う、制御手段の主な電子回路のことであり、操作手段６からの操作入力がなされると、それらの入力内容や記憶されているデータなどを計算して、報知手段に出力したり、加熱手段への駆動指令を出したりするものである。
【００１８】
以上のように構成された本発明の実施の形態１の加熱調理器について、図４により動作を説明する。図４においてメインスイッチ７がＯＮされると、Ｓ１ではＴａ、Ｔｂ，Ｔｃが積算通電時間記憶手段１９から各々読出しされる。ここで、Ｔａとは積算通電時間記憶手段１９に記憶されている加熱手段ａ８の積算通電時間、Ｔｂとは積算通電時間記憶手段１９に記憶されている加熱手段ｂ９の積算通電時間、Ｔｃとは積算通電時間記憶手段１９に記憶されている加熱手段ｃ１０の積算通電時間のことである。
【００１９】
読出されたＴａはＳ２で積算通電時間比較手段２０によりＴ１と比較され、比較された積算通電時間の関係がＴａ≧Ｔ１の関係ならばＳ３へ進む。ここでＴａ≧Ｔ１の関係が成立していない時はＳ１４へ進む。ここで、Ｔ１とは予め設定した第１の所定の値のことで、積算通電時間比較手段２０にデータとして保持されている。
【００２０】
Ｓ３ではＴｂが積算通電時間比較手段２０によりＴ１と比較され、比較された積算通電時間の関係がＴｂ≧Ｔ１の関係ならばＳ４へ進む。ここでＴｂ≧Ｔ１の関係が成立していない時はＳ１１へ進む。
【００２１】
Ｓ４ではＴｃが積算通電時間比較手段２０によりＴ１と比較され、比較された積算通電時間の関係がＴｃ≧Ｔ１の関係ならばＳ５へ進む。ここでＴｃ≧Ｔ１の関係が成立していない時はＳ１０へ進む。
【００２２】
Ｓ５では加熱手段ａ８、加熱手段ｂ９、加熱手段ｃ１０のいずれかまたは全ての操作入力を受付け、Ｓ６では操作された加熱手段ａ８、加熱手段ｂ９、加熱手段ｃ１０のいずれかまたは全ての通電が開始される。通電が開始されると同時にＳ７ではδｔａ、δｔｂ、δｔｃのいずれかまたは全ての通電時間の積算が、積算通電時間記憶手段１９により開始される。ここで、δｔａは加熱手段ａ８の１回の通電時間、δｔｂは加熱手段ｂ９の１回の通電時間、δｔｃは加熱手段ｃ１０の１回の通電時間である。
【００２３】
次にＳ８にて加熱手段ａ８、加熱手段ｂ９、加熱手段ｃ１０のいずれかまたは全ての通電が終了するとＳ９において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【００２４】
Ｓ２でＳ１４へ進んだ場合、Ｔｂが積算通電時間比較手段２０によりＴ１と比較され、比較された積算通電時間の関係がＴｂ≧Ｔ１の関係ならばＳ１５へ進む。ここでＴｂ≧Ｔ１の関係が成立していない時はＳ１８へ進む。
【００２５】
Ｓ１５ではＴｃが積算通電時間比較手段２０によりＴ１と比較され、比較された積算通電時間の関係がＴｃ≧Ｔ１の関係ならばＳ１６へ進み、Ｓ１６にて加熱手段ａ８の使用を促す報知を行いＳ５へ進む。ここでＴｃ≧Ｔ１の関係が成立していない時はＳ１７へ進み、Ｓ１７にて加熱手段ａ８又は加熱手段ｃ１０の使用を促す報知を行いＳ５へ進む。Ｓ５以降の動作は前述の動作と同様であるので、ここでの説明は省略する。
【００２６】
Ｓ１４でＳ１８へ進んだ場合、Ｓ１８ではＴｃが積算通電時間比較手段２０によりＴ１と比較され、比較された積算通電時間の関係がＴｃ≧Ｔ１の関係ならばＳ１９へ進み、Ｓ１９にて加熱手段ａ８又は加熱手段ｂ９の使用を促す報知を行いＳ５へ進む。ここでＴｃ≧Ｔ１の関係が成立していない時は、各々の加熱手段の積算通電時間がＴ１より小さいので加熱手段ａ８、加熱手段ｂ９、加熱手段ｃ１０のどれを使用しても良いとし、特定の加熱手段の使用を促す報知をせずにＳ５へ進む。Ｓ５以降の動作は前述の動作と同様であるので、ここでの説明は省略する。
【００２７】
Ｓ３でＳ１１へ進んだ場合、Ｔｃが積算通電時間比較手段２０によりＴ１と比較され、比較された積算通電時間の関係がＴｃ≧Ｔ１の関係ならばＳ１２へ進み、Ｓ１２にて加熱手段ｂ９の使用を促す報知を行いＳ５へ進む。ここでＴｃ≧Ｔ１の関係が成立していない時はＳ１３へ進み、Ｓ１３にて加熱手段ｂ９又は加熱手段ｃ１０の使用を促す報知を行いＳ５へ進む。Ｓ５以降の動作は前述の動作と同様であるので、ここでの説明は省略する。
【００２８】
Ｓ４でＳ１０へ進んだ場合、Ｓ１０にて加熱手段ｃ１０の使用を促す報知を行いＳ５へ進む。Ｓ５以降の動作は前述の動作と同様であるので、ここでの説明は省略する。
【００２９】
以上の動作により、積算通電時間の値が小さい加熱手段の使用を促し、複数の加熱手段をバランス良く使うことを使用者に意識させ、複数の加熱手段をバランス良く使うことで各々の通電時間を近づけることができる。
【００３０】
また、高周波交流電流が流れていることで高温となって、誘導加熱コイルの絶縁劣化が進行する電磁誘導加熱方式の加熱手段を複数備える加熱調理器では、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。
【００３１】
なお、本実施の形態１では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【００３２】
実施の形態２．
図５から図１１は本発明の実施の形態２の加熱調理器の動作説明のためのフローチャートであり、本発明の実施の形態２の加熱調理器の動作ついて、図５から図１１により動作を説明する。なお、実施の形態２においては、図１から図３で示した実施の形態１の構成を使用するものであり、よってここでの説明は省略する。
【００３３】
図５においてメインスイッチ７がＯＮされると、Ｓ２０ではＴａ、Ｔｂ，Ｔｃが積算通電時間記憶手段１９から各々読出しされる。読出されたＴａはＳ２１で積算通電時間比較手段２０により所定の値Ｔ１と比較され、比較された積算通電時間の関係がＴａ≧Ｔ１の関係ならばＳ２２へ進む。ここでＴａ≧Ｔ１の関係が成立していない時はＳ３３へ進む。
【００３４】
Ｓ２２ではＴｂが積算通電時間比較手段２０により所定の値Ｔ１と比較され、比較された積算通電時間の関係がＴｂ≧Ｔ１の関係ならばＳ２３へ進む。ここでＴｂ≧Ｔ１の関係が成立していない時はＳ３０へ進む。
【００３５】
Ｓ２３ではＴｃが積算通電時間比較手段２０により所定の値Ｔ１と比較され、比較された積算通電時間の関係がＴｃ≧Ｔ１の関係ならばＡの行程へ進む。ここでＴｃ≧Ｔ１の関係が成立していない時はＳ２４へ進み、Ｓ２４にて加熱手段ｃ１０の使用を促す報知を行いＳ２５へ進む。
【００３６】
Ｓ２５では加熱手段ａ８、加熱手段ｂ９、加熱手段ｃ１０のいずれかまたは全ての操作入力を受付け、Ｓ２６では操作された加熱手段ａ８、加熱手段ｂ９、加熱手段ｃ１０のいずれかまたは全ての通電が開始される。通電が開始されると同時にＳ２７ではδｔａ、δｔｂ、δｔｃのいずれかまたは全ての通電時間の積算が、積算通電時間記憶手段１９により開始される。ここで、δｔａは加熱手段ａ８の１回の通電時間、δｔｂは加熱手段ｂ９の１回の通電時間、δｔｃは加熱手段ｃ１０の１回の通電時間である。
【００３７】
次にＳ２８にて加熱手段ａ８、加熱手段ｂ９、加熱手段ｃ１０のいずれかまたは全ての通電が終了するとＳ２９において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【００３８】
Ｓ２１でＳ３３へ進んだ場合、Ｔｂが積算通電時間比較手段２０によりＴ１と比較され、比較された積算通電時間の関係がＴｂ≧Ｔ１の関係ならばＳ３４へ進む。ここでＴｂ≧Ｔ１の関係が成立していない時はＳ３７へ進む。
【００３９】
Ｓ３４ではＴｃが積算通電時間比較手段２０によりＴ１と比較され、比較された積算通電時間の関係がＴｃ≧Ｔ１の関係ならばＳ３５へ進み、Ｓ３５にて加熱手段ａ８の使用を促す報知を行いＳ２５へ進む。ここでＴｃ≧Ｔ１の関係が成立していない時はＳ３６へ進み、Ｓ３６にて加熱手段ａ８又は加熱手段ｃ１０の使用を促す報知を行いＳ２５へ進む。Ｓ２５以降の動作は前述の動作と同様であるので、ここでの説明は省略する。
【００４０】
Ｓ３３でＳ３７へ進んだ場合、Ｓ３７ではＴｃが積算通電時間比較手段２０によりＴ１と比較され、比較された積算通電時間の関係がＴｃ≧Ｔ１の関係ならばＳ３８へ進み、Ｓ３８にて加熱手段ａ８又は加熱手段ｂ９の使用を促す報知を行いＳ２５へ進む。ここでＴｃ≧Ｔ１の関係が成立していない時はＳ２５へ進む。Ｓ２５以降の動作は前述の動作と同様であるので、ここでの説明は省略する。
【００４１】
Ｓ２２でＳ３０へ進んだ場合、Ｔｃが積算通電時間比較手段２０によりＴ１と比較され、比較された積算通電時間の関係がＴｃ≧Ｔ１の関係ならばＳ３１へ進み、Ｓ３１にて加熱手段ｂ９の使用を促す報知を行いＳ２５へ進む。ここでＴｃ≧Ｔ１の関係が成立していない時はＳ３２へ進み、Ｓ３２にて加熱手段ｂ９又は加熱手段ｃ１０の使用を促す報知を行いＳ２５へ進む。Ｓ２５以降の動作は前述の動作と同様であるので、ここでの説明は省略する。
【００４２】
Ｓ２３でＡの行程へ進んだ場合、図６のようにＴａ、Ｔｂ、ＴｃがＳ３９で積算通電時間比較手段２０により比較され、比較された積算通電時間の関係がＴａ≧Ｔｂ≧Ｔｃの関係ならばＳ４０へ進む。ここでＴａ≧Ｔｂ≧Ｔｃの関係が成立していない時はＢの行程へ進む。
【００４３】
Ｓ４０ではＴａからＴｃを引いた値が積算通電時間比較手段２０によりＴ２と比較され、Ｔ２より大きければＳ４１へ進み、Ｔ２より小さければ比較した各々の加熱手段の積算通電時間の差が小さいので加熱手段ａ８、加熱手段ｂ９、加熱手段ｃ１０のどれを使用しても良いとし、特定の加熱手段の使用を促す報知をせずにＧの行程へ進む。ここで、Ｔ２とはＴａ、Ｔｂ、Ｔｃの積算通電時間の差を判断するために予め設定した第２の所定の値のことで、積算通電時間比較手段２０にデータとして保持されている。
【００４４】
Ｓ４１ではＴａからＴｂを引いた値が積算通電時間比較手段２０によりＴ２と比較され、Ｔ２より大きければＴａがＴｂ、Ｔｃと比較して積算通電時間が長くなっているのでＳ４２にて加熱手段ｃ１０又は加熱手段ｂ９の使用を促す報知を行いＧの行程へ進み、Ｔ２より小さければＳ４３へ進み、ＴａとＴｂの積算通電時間の差が小さいのでＴａ、ＴｂがＴｃと比較して積算通電時間が長くなっているとしＳ４３にて加熱手段ｃ１０の使用を促す報知を行いＧの行程へ進む。Ｇの行程へ進むと、図５に戻りＳ２５へ進むこととなり、Ｓ２５以降の動作は前述の動作と同様であるので、ここでの説明は省略する。
【００４５】
Ｓ３９でＢの行程へ進んだ場合、図７のようにＴａ、Ｔｂ、ＴｃはＳ４４で積算通電時間比較手段２０により比較され、比較された積算通電時間の関係がＴａ≧Ｔｃ≧Ｔｂの関係ならばＳ４５へ進む。ここでＴａ≧Ｔｃ≧Ｔｂの関係が成立していない時はＣの行程へ進む。
【００４６】
Ｓ４５ではＴａからＴｂを引いた値が積算通電時間比較手段２０によりＴ２と比較され、Ｔ２より大きければＳ４６へ進み、Ｔ２より小さければ比較した各々の加熱手段の積算通電時間の差が小さいので加熱手段ａ８、加熱手段ｂ９、加熱手段ｃ１０のどれを使用しても良いとし、Ｇの行程へ進む。Ｇの行程へ進むと、図５に戻りＳ２５へ進むこととなり、Ｓ２５以降の動作は前述の動作と同様であるので、ここでの説明は省略する。
【００４７】
Ｓ４６ではＴａからＴｃを引いた値が積算通電時間比較手段２０によりＴ２と比較され、Ｔ２より大きければＴａがＴｃ、Ｔｂと比較して積算通電時間が長くなっているのでＳ４７にて加熱手段ｂ９又は加熱手段ｃ１０の使用を促す報知を行い、Ｇの行程へ進み、Ｔ２より小さければＴａとＴｃの積算通電時間の差が小さいのでＴａ、ＴｃがＴｂと比較して積算通電時間が長くなっているとしＳ４８にて加熱手段ｂ９の使用を促す報知を行い、Ｇの行程へ進む。Ｇの行程へ進むと、図５に戻りＳ２５へ進むこととなり、Ｓ２５以降の動作は前述の動作と同様であるので、ここでの説明は省略する。
【００４８】
Ｓ４４でＣの行程へ進んだ場合、図８のようにＴａ、Ｔｂ、ＴｃはＳ４９で積算通電時間比較手段２０により比較され、比較された積算通電時間の関係がＴｂ≧Ｔａ≧Ｔｃの関係ならばＳ５０へ進む。ここでＴｂ≧Ｔａ≧Ｔｃの関係が成立していない時はＤの行程へ進む。
【００４９】
Ｓ５０ではＴｂからＴｃを引いた値が積算通電時間比較手段２０によりＴ２と比較され、Ｔ２より大きければＳ５１へ進み、Ｔ２より小さければ比較した各々の加熱手段の積算通電時間の差が小さいので加熱手段ａ８、加熱手段ｂ９、加熱手段ｃ１０のどれを使用しても良いとし、Ｇの行程へ進む。Ｇの行程へ進むと、図５に戻りＳ２５へ進むこととなり、Ｓ２５以降の動作は前述の動作と同様であるので、ここでの説明は省略する。
【００５０】
Ｓ５１ではＴｂからＴａを引いた値が積算通電時間比較手段２０によりＴ２と比較され、Ｔ２より大きければＴｂがＴｃ、Ｔａと比較して積算通電時間が長くなっているのでＳ５２にて加熱手段ｃ１０又は加熱手段ａ８の使用を促す報知を行い、Ｇの行程へ進み、Ｔ２より小さければＴｂとＴａの積算通電時間の差が小さいのでＴｂ、ＴａがＴｃと比較して積算通電時間が長くなっているとしＳ５３にて加熱手段ｃ１０の使用を促す報知を行い、Ｇの行程へ進む。Ｇの行程へ進むと、図５に戻りＳ２５へ進むこととなり、Ｓ２５以降の動作は前述の動作と同様であるので、ここでの説明は省略する。
【００５１】
Ｓ４９でＤの行程へ進んだ場合、図９のようにＴａ、Ｔｂ、ＴｃはＳ５４で積算通電時間比較手段２０により比較され、比較された積算通電時間の関係がＴｂ≧Ｔｃ≧Ｔａの関係ならばＳ５５へ進む。ここでＴｂ≧Ｔｃ≧Ｔａの関係が成立していない時はＥの行程へ進む。
【００５２】
Ｓ５５ではＴｂからＴａを引いた値が積算通電時間比較手段２０によりＴ２と比較され、Ｔ２より大きければＳ５６へ進み、Ｔ２より小さければ比較した各々の加熱手段の積算通電時間の差が小さいので加熱手段ａ８、加熱手段ｂ９、加熱手段ｃ１０のどれを使用しても良いとし、Ｇの行程へ進む。Ｇの行程へ進むと、図５に戻りＳ２５へ進むこととなり、Ｓ２５以降の動作は前述の動作と同様であるので、ここでの説明は省略する。
【００５３】
Ｓ５６ではＴｂからＴｃを引いた値が積算通電時間比較手段２０によりＴ２と比較され、Ｔ２より大きければＴｂがＴａ、Ｔｃと比較して積算通電時間が長くなっているのでＳ５７にて加熱手段ａ８又は加熱手段ｃ１０の使用を促す報知を行い、Ｇの行程へ進み、Ｔ２より小さければＴｂとＴｃの積算通電時間の差が小さいのでＴｂ、ＴｃがＴａと比較して積算通電時間が長くなっているとしＳ５８にて加熱手段ａ８の使用を促す報知を行い、Ｇの行程へ進む。Ｇの行程へ進むと、図５に戻りＳ２５へ進むこととなり、Ｓ２５以降の動作は前述の動作と同様であるので、ここでの説明は省略する。
【００５４】
Ｓ５４でＥの行程へ進んだ場合、図１０のようにＴａ、Ｔｂ、ＴｃはＳ５９で積算通電時間比較手段２０により比較され、比較された積算通電時間の関係がＴｃ≧Ｔａ≧Ｔｂの関係ならばＳ６０へ進む。ここでＴｃ≧Ｔａ≧Ｔｂの関係が成立していない時はＦの行程へ進む。
【００５５】
Ｓ６０ではＴｃからＴｂを引いた値が積算通電時間比較手段２０によりＴ２と比較され、Ｔ２より大きければＳ６１へ進み、Ｔ２より小さければ比較した各々の加熱手段の積算通電時間の差が小さいので加熱手段ａ８、加熱手段ｂ９、加熱手段ｃ１０のどれを使用しても良いとし、Ｇの行程へ進む。Ｇの行程へ進むと、図５に戻りＳ２５へ進むこととなり、Ｓ２５以降の動作は前述の動作と同様であるので、ここでの説明は省略する。
【００５６】
Ｓ６１ではＴｃからＴａを引いた値が積算通電時間比較手段２０によりＴ２と比較され、Ｔ２より大きければＴｃがＴｂ、Ｔａと比較して積算通電時間が長くなっているのでＳ６２にて加熱手段ｂ９又は加熱手段ａ８の使用を促す報知を行い、Ｆの行程へ進み、Ｔ２より小さければＴｃとＴａの積算通電時間の差が小さいのでＴｃ、ＴａがＴｂと比較して積算通電時間が長くなっているとしＳ６３にて加熱手段ｂ９の使用を促す報知を行い、Ｇの行程へ進む。Ｇの行程へ進むと、図５に戻りＳ２５へ進むこととなり、Ｓ２５以降の動作は前述の動作と同様であるので、ここでの説明は省略する。
【００５７】
Ｓ５９でＦの行程へ進んだ場合、図１１のようにＴａ、Ｔｂ、ＴｃはＳ６４で積算通電時間比較手段２０により比較され、比較された積算通電時間の関係がＴｃ≧Ｔｂ≧ＴａとなりＳ６５へ進み、Ｓ６５ではＴｃからＴａを引いた値が積算通電時間比較手段２０によりＴ２と比較され、Ｔ２より大きければＳ６６へ進み、Ｔ２より小さければ比較した各々の加熱手段の積算通電時間の差が小さいので加熱手段ａ８、加熱手段ｂ９、加熱手段ｃ１０のどれを使用しても良いとし、Ｇの行程へ進む。Ｇの行程へ進むと、図５に戻りＳ２５へ進むこととなり、Ｓ２５以降の動作は前述の動作と同様であるので、ここでの説明は省略する。
【００５８】
Ｓ６６ではＴｃからＴｂを引いた値が積算通電時間比較手段２０によりＴ２と比較され、Ｔ２より大きければＴｃがＴａ、Ｔｂと比較して積算通電時間が長くなっているのでＳ６７にて加熱手段ａ８又は加熱手段ｂ９の使用を促す報知を行い、Ｇの行程へ進み、Ｔ２より小さければＴｃとＴｂの積算通電時間の差が小さいのでＴｃ、ＴｂがＴａと比較して積算通電時間が長くなっているとしＳ６８にて加熱手段ａ８の使用を促す報知を行い、Ｇの行程へ進む。Ｇの行程へ進むと、図５に戻りＳ２５へ進むこととなり、Ｓ２５以降の動作は前述の動作と同様であるので、ここでの説明は省略する。
【００５９】
以上の動作により、実施の形態１と同様に、積算通電時間の値が小さい加熱手段の使用を促し、複数の加熱手段をバランス良く使うことを使用者に意識させ、複数の加熱手段をバランス良く使うことで各々の通電時間を近づけることができる。
【００６０】
また、高周波交流電流が流れていることで高温となって、誘導加熱コイルの絶縁劣化が進行する電磁誘導加熱方式の加熱手段を複数備える加熱調理器では、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。
【００６１】
なお、本実施の形態２では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【００６２】
実施の形態３．
図１２から図２４は本発明の実施の形態３の加熱調理器の動作説明のためのフローチャートであり、本発明の実施の形態３の加熱調理器の動作ついて図１２から図２４を使って説明する。なお、実施の形態３においては、図１から図３で示した実施の形態１の構成を使用するものであり、よってここでの説明は省略する。
【００６３】
図１２においてメインスイッチ７がＯＮされると、Ｓ７０ではＴａ、Ｔｂ，Ｔｃが積算通電時間記憶手段１９から各々読出しされる。読出されたＴａはＳ７１で積算通電時間比較手段２０により所定の値Ｔ１と比較され、比較された積算通電時間の関係がＴａ≧Ｔ１の関係ならばＳ７２へ進む。ここでＴａ≧Ｔ１の関係が成立していない時はＳ８３へ進む。
【００６４】
Ｓ７２ではＴｂが積算通電時間比較手段２０により所定の値Ｔ１と比較され、比較された積算通電時間の関係がＴｂ≧Ｔ１の関係ならばＳ７３へ進む。ここでＴｂ≧Ｔ１の関係が成立していない時はＳ８０へ進む。
【００６５】
Ｓ７３ではＴｃが積算通電時間比較手段２０により所定の値Ｔ１と比較され、比較された積算通電時間の関係がＴｃ≧Ｔ１の関係ならばＨの行程へ進む。ここでＴｃ≧Ｔ１の関係が成立していない時はＳ７４へ進み、Ｓ７４にて加熱手段ｃ１０の使用を促す報知を行いＳ７５へ進む。
【００６６】
Ｓ７５では加熱手段ａ８、加熱手段ｂ９、加熱手段ｃ１０のいずれかまたは全ての操作入力を受付け、Ｓ７６では操作された加熱手段ａ８、加熱手段ｂ９、加熱手段ｃ１０のいずれかまたは全ての通電が開始される。通電が開始されると同時にＳ７７ではδｔａ、δｔｂ、δｔｃのいずれかまたは全ての通電時間の積算が、積算通電時間記憶手段１９により開始される。ここで、δｔａは加熱手段ａ８の１回の通電時間、δｔｂは加熱手段ｂ９の１回の通電時間、δｔｃは加熱手段ｃ１０の１回の通電時間である。
【００６７】
次にＳ７８にて加熱手段ａ８、加熱手段ｂ９、加熱手段ｃ１０のいずれかまたは全ての通電が終了するとＳ７９において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【００６８】
Ｓ７１でＳ８３へ進んだ場合、Ｔｂが積算通電時間比較手段２０によりＴ１と比較され、比較された積算通電時間の関係がＴｂ≧Ｔ１の関係ならばＳ８４へ進む。ここでＴｂ≧Ｔ１の関係が成立していない時はＳ８７へ進む。
【００６９】
Ｓ８４ではＴｃが積算通電時間比較手段２０によりＴ１と比較され、比較された積算通電時間の関係がＴｃ≧Ｔ１の関係ならばＳ８５へ進み、Ｓ８５にて加熱手段ａ８の使用を促す報知を行いＳ７５へ進む。ここでＴｃ≧Ｔ１の関係が成立していない時はＳ８６へ進み、Ｓ８６にて加熱手段ａ８又は加熱手段ｃ１０の使用を促す報知を行いＳ７５へ進む。Ｓ７５以降の動作は前述の動作と同様であるので、ここでの説明は省略する。
【００７０】
Ｓ８３でＳ８７へ進んだ場合、Ｓ８７ではＴｃが積算通電時間比較手段２０によりＴ１と比較され、比較された積算通電時間の関係がＴｃ≧Ｔ１の関係ならばＳ８８へ進み、Ｓ８８にて加熱手段ａ８又は加熱手段ｂ９の使用を促す報知を行いＳ７５へ進む。ここでＴｃ≧Ｔ１の関係が成立していない時はＳ７５へ進む。Ｓ７５以降の動作は前述の動作と同様であるので、ここでの説明は省略する。
【００７１】
Ｓ７２でＳ８０へ進んだ場合、Ｔｃが積算通電時間比較手段２０によりＴ１と比較され、比較された積算通電時間の関係がＴｃ≧Ｔ１の関係ならばＳ８１へ進み、Ｓ８１にて加熱手段ｂ９の使用を促す報知を行いＳ７５へ進む。ここでＴｃ≧Ｔ１の関係が成立していない時はＳ８２へ進み、Ｓ８２にて加熱手段ｂ９又は加熱手段ｃ１０の使用を促す報知を行いＳ７５へ進む。Ｓ７５以降の動作は前述の動作と同様であるので、ここでの説明は省略する。
【００７２】
Ｓ７３でＨの行程へ進んだ場合、図１３のようにＴａ、Ｔｂ、ＴｃがＳ８９で積算通電時間比較手段２０により比較され、比較された積算通電時間の関係がＴａ≧Ｔｂ≧Ｔｃの関係ならばＳ９０へ進む。ここでＴａ≧Ｔｂ≧Ｔｃの関係が成立していない時はＫの行程へ進む。
【００７３】
Ｓ９０ではＴａからＴｃを引いた値が積算通電時間比較手段２０によりＴ２と比較され、Ｔ２より大きければＳ９１へ進み、Ｔ２より小さければＪの行程へ進む。Ｓ９１ではＴａからＴｂを引いた値が積算通電時間比較手段２０によりＴ２と比較され、Ｔ２より大きければＴａがＴｂ、Ｔｃと比較して積算通電時間が長くなっているのでＳ９２にて加熱手段ｃ１０又は加熱手段ｂ９の使用を促す報知を行いＳ９３へ進み、Ｔ２より小さければＩの行程へ進む。
【００７４】
Ｓ９３では加熱手段ｃ１０、加熱手段ｂ９のいずれかまたは両方の操作入力がなされた場合、Ｓ９２で加熱手段ｃ１０又は加熱手段ｂ９の使用を促す報知を行っているので、Ｓ９４へ進み、加熱手段ｃ１０又は加熱手段ｂ９の通電を開始する。
【００７５】
通電が開始されると同時にＳ９５ではδｔｃ、δｔｂのいずれかまたは両方の通電時間の積算が、積算通電時間記憶手段１９により開始される。次にＳ９６にて加熱手段ｃ１０、加熱手段ｂ９のいずれかまたは両方の通電が終了するとＳ９７において、加熱手段ｃ１０が通電されていたのであれば、今回読出したＴｃと今回の通電時間δｔｃを足した値を新しいＴｃとして、加熱手段ｂ９が通電されていたのであれば、今回読出したＴｂと今回の通電時間δｔｂを足した値を新しいＴｂとして、積算通電時間記憶手段１９が記憶して動作を終了する。
【００７６】
Ｓ９３において加熱手段ｃ１０、加熱手段ｂ９ではない加熱手段の操作入力がなされた場合、Ｓ９８にて加熱手段ａ８の操作入力がなされ、Ｓ９９でＴａからＴｃを引いた値が積算通電時間比較手段２０によりＴ３と比較されＴ３より大きければＳ１００へ進み、Ｔ３より小さければＳ１０４へ進む。ここで、Ｔ３とはＴａ、Ｔｂ、Ｔｃの積算通電時間の差を判断するために予め設定した第３の所定の値のことで、積算通電時間比較手段２０にデータとして保持されている。
【００７７】
Ｓ１００へ進むとＴａからＴｃを引いた値がＴ３より大きかったことから、制御手段１１が加熱手段ａ８を駆動するインバータ回路ａ２１への出力を制限する指令を出し、加熱手段ａ８の出力を制限して通電を開始する。この時、出力の制限は加熱手段の寿命と調理への影響を考慮して通常の通電に対し、例えば７０から９０％の範囲で設定することが望ましい。
通電が開始されると同時にＳ１０１ではδｔａｒの通電時間の積算が、積算通電時間記憶手段１９により開始される。ここで、δｔａｒは加熱手段ａ８の出力を制限した１回の通電時間に出力の制限と同じパラメータ、例えば出力の制限が７０％であるならば７０％を乗じた時間とする。
【００７８】
次にＳ１０２にて加熱手段ａ８の通電が終了するとＳ１０３において、今回読出したＴａと今回の通電時間δｔａｒを足した値を新しいＴａとして、積算通電時間記憶手段１９が記憶して動作を終了する。
【００７９】
Ｓ９９でＴａからＴｃを引いた値が積算通電時間比較手段２０によりＴ３と比較され、Ｔ３より小さいことでＳ１０４へ進むと加熱手段ａ８の出力を制限せず通電を開始する。通電が開始されると同時にＳ１０５ではδｔａの通電時間の積算が、積算通電時間記憶手段１９により開始される。
【００８０】
次にＳ１０６にて加熱手段ａ８の通電が終了するとＳ１０７において、今回読出したＴａと今回の通電時間δｔａを足した値を新しいＴａとして、積算通電時間記憶手段１９が記憶して動作を終了する。
【００８１】
Ｓ９１でＴａからＴｂを引いた値がＴ２より小さいとＩの行程へ進み、図１４のようにＳ１０８で加熱手段ｃ１０の使用を促す報知を行いＳ１０９へ進む。Ｓ１０９では加熱手段ｃ１０の操作入力がなされた場合、Ｓ１０８で加熱手段ｃ１０の使用を促す報知を行っているので、Ｓ１１０へ進み、加熱手段ｃ１０の通電を開始する。
【００８２】
通電が開始されると同時にＳ１１１ではδｔｃの通電時間の積算が、積算通電時間記憶手段１９により開始される。次にＳ１１２にて加熱手段ｃ１０の通電が終了するとＳ１１３において、今回読出したＴｃと今回の通電時間δｔｃを足した値を新しいＴｃとして、積算通電時間記憶手段１９が記憶して動作を終了する。
【００８３】
Ｓ１０９において加熱手段ｃ１０ではない加熱手段の操作入力がなされ、Ｓ１１４にて加熱手段ｂ９の操作入力がなされるとＳ１１５へ進み、加熱手段ｂ９ではない加熱手段の操作入力がなされるとＬの行程へ進む。Ｓ１１５へ進むとＴｂからＴｃを引いた値が積算通電時間比較手段２０によりＴ３と比較されＴ３より大きければＳ１１６へ進み、Ｔ３より小さければＳ１２０へ進む。
【００８４】
Ｓ１１６へ進むとＴｂからＴｃを引いた値がＴ３より大きかったことから、制御手段１１が加熱手段ｂ９を駆動するインバータ回路ｂ２２への出力を制限する指令を出し、加熱手段ｂ９の出力を制限して通電を開始する。
通電が開始されると同時にＳ１１７ではδｔｂｒの通電時間の積算が、積算通電時間記憶手段１９により開始される。ここで、δｔｂｒは加熱手段ｂ９の出力を制限した１回の通電時間に出力の制限と同じパラメータ、例えば出力の制限が７０％であるならば７０％を乗じた時間とする。
【００８５】
次にＳ１１８にて加熱手段ｂ９の通電が終了するとＳ１１９において、今回読出したＴｂと今回の通電時間δｔｂｒを足した値を新しいＴｂとして、積算通電時間記憶手段１９が記憶して動作を終了する。
【００８６】
Ｓ１１５でＴｂからＴｃを引いた値が積算通電時間比較手段２０によりＴ３と比較され、Ｔ３より小さいことでＳ１２０へ進むと加熱手段ｂ９の出力を制限せず通電を開始する。通電が開始されると同時にＳ１２１ではδｔｂの通電時間の積算が、積算通電時間記憶手段１９により開始される。
【００８７】
次にＳ１２２にて加熱手段ｂ９の通電が終了するとＳ１２３において、今回読出したＴｂと今回の通電時間δｔｂを足した値を新しいＴｂとして、積算通電時間記憶手段１９が記憶して動作を終了する。
【００８８】
Ｓ１１４で加熱手段ｂ９ではない加熱手段の操作入力がなされると図１３に戻りＬの行程へ進みＳ９８へ進む。Ｓ９８以降の動作は前述の動作と同様であるので、ここでの説明は省略する。
【００８９】
Ｓ９０でＴａからＴｃを引いた値がＴ２より小さいと図１２に戻りＪの行程へ進み、比較した各々の加熱手段の積算通電時間の差が小さいので加熱手段ａ８、加熱手段ｂ９、加熱手段ｃ１０のどれを使用しても良いとしＳ７５へ進む。Ｓ７５以降の動作は前述の動作と同様であるので、ここでの説明は省略する。
【００９０】
Ｓ８９でＫの行程へ進んだ場合、図１５のようにＴａ、Ｔｂ、ＴｃはＳ１２４で積算通電時間比較手段２０により比較され、比較された積算通電時間の関係がＴａ≧Ｔｃ≧Ｔｂの関係ならばＳ１２５へ進む。ここでＴａ≧Ｔｃ≧Ｔｂの関係が成立していない時はＮの行程へ進む。
【００９１】
Ｓ１２５ではＴａからＴｂを引いた値が積算通電時間比較手段２０によりＴ２と比較され、Ｔ２より大きければＳ１２６へ進み、Ｔ２より小さければＪの行程へ進む。Ｓ１２６ではＴａからＴｃを引いた値が積算通電時間比較手段２０によりＴ２と比較され、Ｔ２より大きければＴａがＴｂ、Ｔｃと比較して積算通電時間が長くなっているのでＳ１２７にて加熱手段ｂ９又は加熱手段ｃ１０の使用を促す報知を行いＳ１２８へ進み、Ｔ２より小さければＭの行程へ進む。
【００９２】
Ｓ１２８では加熱手段ｂ９、加熱手段ｃ１０のいずれかまたは両方の操作入力がなされた場合、Ｓ９４で加熱手段ｂ９又は加熱手段ｃ１０の使用を促す報知を行っているので、Ｓ１２９へ進み、加熱手段ｂ９又は加熱手段ｃ１０の通電を開始する。
【００９３】
通電が開始されると同時にＳ１３０ではδｔｂ、δｔｃのいずれかまたは両方の通電時間の積算が、積算通電時間記憶手段１９により開始される。次にＳ１３１にて加熱手段ｂ９、加熱手段ｃ１０のいずれかまたは両方の通電が終了するとＳ１３２において、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【００９４】
Ｓ１２８において加熱手段ｂ９、加熱手段ｃ１０ではない加熱手段の操作入力がなされた場合、Ｓ１３３にて加熱手段ａ８の操作入力がなされ、Ｓ１３４でＴａからＴｂを引いた値が積算通電時間比較手段２０によりＴ３と比較されＴ３より大きければＳ１３５へ進み、Ｔ３より小さければＳ１３９へ進む。
【００９５】
Ｓ１３５へ進むとＴａからＴｂを引いた値がＴ３より大きかったことから、制御手段１１が加熱手段ａ８を駆動するインバータ回路ａ２１への出力を制限する指令を出し、加熱手段ａ８の出力を制限して通電を開始する。
通電が開始されると同時にＳ１３６ではδｔａｒの通電時間の積算が、積算通電時間記憶手段１９により開始される。
【００９６】
次にＳ１３７にて加熱手段ａ８の通電が終了するとＳ１３８において、今回読出したＴａと今回の通電時間δｔａｒを足した値を新しいＴａとして、積算通電時間記憶手段１９が記憶して動作を終了する。
【００９７】
Ｓ１３４でＴａからＴｂを引いた値が積算通電時間比較手段２０によりＴ３と比較され、Ｔ３より小さいことでＳ１３９へ進むと加熱手段ａ８の出力を制限せず通電を開始する。通電が開始されると同時にＳ１４０ではδｔａの通電時間の積算が、積算通電時間記憶手段１９により開始される。
【００９８】
次にＳ１４１にて加熱手段ａ８の通電が終了するとＳ１４２において、今回読出したＴａと今回の通電時間δｔａを足した値を新しいＴａとして、積算通電時間記憶手段１９が記憶して動作を終了する。
【００９９】
Ｓ１２６でＴａからＴｃを引いた値がＴ２より小さいとＭの行程へ進み、図１６のようにＳ１４３で加熱手段ｂ９の使用を促す報知を行いＳ１４４へ進む。Ｓ１４４では加熱手段ｂ９の操作入力がなされた場合、Ｓ１４３で加熱手段ｂ９の使用を促す報知を行っているので、Ｓ１４５へ進み、加熱手段ｂ９の通電を開始する。
【０１００】
通電が開始されると同時にＳ１４６ではδｔｂの通電時間の積算が、積算通電時間記憶手段１９により開始される。次にＳ１４７にて加熱手段ｂ９の通電が終了するとＳ１４８において、今回読出したＴｂと今回の通電時間δｔｂを足した値を新しいＴｂとして、積算通電時間記憶手段１９が記憶して動作を終了する。
【０１０１】
Ｓ１４４において加熱手段ｂ９ではない加熱手段の操作入力がなされ、Ｓ１４９にて加熱手段ｃ１０の操作入力がなされるとＳ１５０へ進み、加熱手段ｃ１０ではない加熱手段の操作入力がなされるとＰの行程へ進む。Ｓ１５０へ進むとＴｃからＴｂを引いた値が積算通電時間比較手段２０によりＴ３と比較されＴ３より大きければＳ１５１へ進み、Ｔ３より小さければＳ１５５へ進む。
【０１０２】
Ｓ１５１へ進むとＴｃからＴｂを引いた値がＴ３より大きかったことから、制御手段１１が加熱手段ｃ１０を駆動するインバータ回路ｃ２３への出力を制限する指令を出し、加熱手段ｃ１０の出力を制限して通電を開始する。
通電が開始されると同時にＳ１５２ではδｔｃｒの通電時間の積算が、積算通電時間記憶手段１９により開始される。ここで、δｔｃｒは加熱手段ｃ１０の出力を制限した１回の通電時間に出力の制限と同じパラメータ、例えば出力の制限が７０％であるならば７０％を乗じた時間とする。
【０１０３】
次にＳ１５３にて加熱手段ｃ１０の通電が終了するとＳ１５４において、今回読出したＴｃと今回の通電時間δｔｃｒを足した値を新しいＴｃとして、積算通電時間記憶手段１９が記憶して動作を終了する。
【０１０４】
Ｓ１５０でＴｃからＴｂを引いた値が積算通電時間比較手段２０によりＴ３と比較され、Ｔ３より小さいことでＳ１５５へ進むと加熱手段ｃ１０の出力を制限せず通電を開始する。通電が開始されると同時にＳ１５６ではδｔｃの通電時間の積算が、積算通電時間記憶手段１９により開始される。
【０１０５】
次にＳ１５７にて加熱手段ｃ１０の通電が終了するとＳ１５８において、今回読出したＴｃと今回の通電時間δｔｃを足した値を新しいＴｃとして、積算通電時間記憶手段１９が記憶して動作を終了する。
【０１０６】
Ｓ１４９で加熱手段ｃ１０ではない加熱手段の操作入力がなされると図１５に戻りＰの行程へ進みＳ１３３へ進む。Ｓ１３３以降の動作は前述の動作と同様であるので、ここでの説明は省略する。
【０１０７】
Ｓ１２５でＴａからＴｂを引いた値がＴ１より小さいと図１２に戻りＪの行程へ進み、比較した各々の加熱手段の積算通電時間の差が小さいので加熱手段ａ８、加熱手段ｂ９、加熱手段ｃ１０のどれを使用しても良いとしＳ７５へ進む。Ｓ７５以降の動作は前述の動作と同様であるので、ここでの説明は省略する。
【０１０８】
Ｓ１２４でＮの行程へ進んだ場合、図１７のようにＴａ、Ｔｂ、ＴｃはＳ１５９で積算通電時間比較手段２０により比較され、比較された積算通電時間の関係がＴｂ≧Ｔａ≧Ｔｃの関係ならばＳ１６０へ進む。ここでＴｂ≧Ｔａ≧Ｔｃの関係が成立していない時はＳの行程へ進む。
【０１０９】
Ｓ１６０ではＴｂからＴｃを引いた値が積算通電時間比較手段２０によりＴ２と比較され、Ｔ２より大きければＳ１６１へ進み、Ｔ２より小さければＪの行程へ進む。Ｓ１６１ではＴｂからＴａを引いた値が積算通電時間比較手段２０によりＴ２と比較され、Ｔ２より大きければＴｂがＴｃ、Ｔａと比較して積算通電時間が長くなっているのでＳ１６２にて加熱手段ｃ１０又は加熱手段ａ８の使用を促す報知を行いＳ１６３へ進み、Ｔ２より小さければＲの行程へ進む。
【０１１０】
Ｓ１６３では加熱手段ｃ１０、加熱手段ａ８のいずれかまたは両方の操作入力がなされた場合、Ｓ１６２で加熱手段ｃ１０又は加熱手段ａ８の使用を促す報知を行っているので、Ｓ１６４へ進み、加熱手段ｃ１０又は加熱手段ａ８の通電を開始する。
【０１１１】
通電が開始されると同時にＳ１６５ではδｔｃ、δｔａのいずれかまたは両方の通電時間の積算が、積算通電時間記憶手段１９により開始される。次にＳ１６６にて加熱手段ｃ１０、加熱手段ａ８のいずれかまたは両方の通電が終了するとＳ１６７において、加熱手段ｃ１０が通電されていたのであれば、今回読出したＴｃと今回の通電時間δｔｃを足した値を新しいＴｃとして、加熱手段ａ８が通電されていたのであれば、今回読出したＴａと今回の通電時間δｔａを足した値を新しいＴａとして、積算通電時間記憶手段１９が記憶して動作を終了する。
【０１１２】
Ｓ１６３において加熱手段ｃ１０、加熱手段ａ８ではない加熱手段の操作入力がなされた場合、Ｓ１６８にて加熱手段ｂ９の操作入力がなされ、Ｓ１６９でＴｂからＴｃを引いた値が積算通電時間比較手段２０によりＴ２と比較されＴ２より大きければＳ１７０へ進み、Ｔ３より小さければＳ１７４へ進む。
【０１１３】
Ｓ１７０へ進むとＴｂからＴｃを引いた値がＴ３より大きかったことから、制御手段１１が加熱手段ｂ９を駆動するインバータ回路ｂ２２への出力を制限する指令を出し、加熱手段ｂ９の出力を制限して通電を開始する。
通電が開始されると同時にＳ１７１ではδｔｂｒの通電時間の積算が、積算通電時間記憶手段１９により開始される。
【０１１４】
次にＳ１７２にて加熱手段ｂ９の通電が終了するとＳ１７３において、今回読出したＴｂと今回の通電時間δｔｂｒを足した値を新しいＴｂとして、積算通電時間記憶手段１９が記憶して動作を終了する。
【０１１５】
Ｓ１６９でＴｂからＴｃを引いた値が積算通電時間比較手段２０によりＴ３と比較され、Ｔ３より小さいことでＳ１７４へ進むと加熱手段ｂ９の出力を制限せず通電を開始する。通電が開始されると同時にＳ１７５ではδｔｂの通電時間の積算が、積算通電時間記憶手段１９により開始される。
【０１１６】
次にＳ１７６にて加熱手段ｂ９の通電が終了するとＳ１７７において、今回読出したＴｂと今回の通電時間δｔｂを足した値を新しいＴｂとして、積算通電時間記憶手段１９が記憶して動作を終了する。
【０１１７】
Ｓ１６１でＴｂからＴａを引いた値がＴ２より小さいとＲの行程へ進み、図１８のようにＳ１７８で加熱手段ｃ１０の使用を促す報知を行いＳ１７９へ進む。Ｓ１７９では加熱手段ｃ１０の操作入力がなされた場合、Ｓ１７８で加熱手段ｂ９の使用を促す報知を行っているので、Ｓ１８０へ進み、加熱手段ｃ１０の通電を開始する。
【０１１８】
通電が開始されると同時にＳ１８１ではδｔｃの通電時間の積算が、積算通電時間記憶手段１９により開始される。次にＳ１８２にて加熱手段ｃ１０の通電が終了するとＳ１８３において、今回読出したＴｃと今回の通電時間δｔｃを足した値を新しいＴｃとして、積算通電時間記憶手段１９が記憶して動作を終了する。
【０１１９】
Ｓ１７９において加熱手段ｃ１０ではない加熱手段の操作入力がなされ、Ｓ１８４にて加熱手段ａ８の操作入力がなされるとＳ１８５へ進み、加熱手段ａ８ではない加熱手段の操作入力がなされるとＴ行程へ進む。Ｓ１８５へ進むとＴａからＴｃを引いた値が積算通電時間比較手段２０によりＴ３と比較されＴ３より大きければＳ１８６へ進み、Ｔ３より小さければＳ１９０へ進む。
【０１２０】
Ｓ１８６へ進むとＴａからＴｃを引いた値がＴ３より大きかったことから、制御手段１１が加熱手段ａ８を駆動するインバータ回路ａ２１への出力を制限する指令を出し、加熱手段ａ８の出力を制限して通電を開始する。
通電が開始されると同時にＳ１５４ではδｔａｒの通電時間の積算が、積算通電時間記憶手段１９により開始される。
【０１２１】
次にＳ１８８にて加熱手段ａ８の通電が終了するとＳ１８９において、今回読出したＴａと今回の通電時間δｔａｒを足した値を新しいＴａとして、積算通電時間記憶手段１９が記憶して動作を終了する。
【０１２２】
Ｓ１８５でＴａからＴｃを引いた値が積算通電時間比較手段２０によりＴ３と比較され、Ｔ３より小さいことでＳ１９０へ進むと加熱手段ａ８の出力を制限せず通電を開始する。通電が開始されると同時にＳ１９１ではδｔａの通電時間の積算が、積算通電時間記憶手段１９により開始される。
【０１２３】
次にＳ１９２にて加熱手段ａ８の通電が終了するとＳ１９３において、今回読出したＴａと今回の通電時間δｔａを足した値を新しいＴａとして、積算通電時間記憶手段１９が記憶して動作を終了する。
【０１２４】
Ｓ１８４で加熱手段ａ８ではない加熱手段の操作入力がなされると図１７に戻りＴの行程へ進みＳ１６８へ進む。Ｓ１６８以降の動作は前述の動作と同様であるので、ここでの説明は省略する。
【０１２５】
Ｓ１６０でＴｂからＴｃを引いた値がＴ２より小さいと図１２に戻りＪの行程へ進み、比較した各々の加熱手段の積算通電時間の差が小さいので加熱手段ａ８、加熱手段ｂ９、加熱手段ｃ１０のどれを使用しても良いとしＳ７５へ進む。Ｓ７５以降の動作は前述の動作と同様であるので、ここでの説明は省略する。
【０１２６】
Ｓ１５９でＳの行程へ進んだ場合、図１９のようにＴａ、Ｔｂ、ＴｃはＳ１９４で積算通電時間比較手段２０により比較され、比較された積算通電時間の関係がＴｂ≧Ｔｃ≧Ｔａの関係ならばＳ１９５へ進む。ここでＴｂ≧Ｔｃ≧Ｔａの関係が成立していない時はＷの行程へ進む。
【０１２７】
Ｓ１９５ではＴｂからＴａを引いた値が積算通電時間比較手段２０によりＴ２と比較され、Ｔ２より大きければＳ１９６へ進み、Ｔ２より小さければＪの行程へ進む。Ｓ１９６ではＴｂからＴｃを引いた値が積算通電時間比較手段２０によりＴ２と比較され、Ｔ２より大きければＴｂがＴａ、Ｔｃと比較して積算通電時間が長くなっているのでＳ１９７にて加熱手段ａ８又は加熱手段ｃ１０の使用を促す報知を行いＳ１９８へ進み、Ｔ２より小さければＶの行程へ進む。
【０１２８】
Ｓ１９８では加熱手段ａ８、加熱手段ｃ１０のいずれかまたは両方の操作入力がなされた場合、Ｓ１９７で加熱手段ａ８又は加熱手段ｃ１０の使用を促す報知を行っているので、Ｓ１９９へ進み、加熱手段ａ８又は加熱手段ｃ１０の通電を開始する。
【０１２９】
通電が開始されると同時にＳ２００ではδｔａ、δｔｃのいずれかまたは両方の通電時間の積算が、積算通電時間記憶手段１９により開始される。次にＳ２０１にて加熱手段ａ８、加熱手段ｃ１０のいずれかまたは両方の通電が終了するとＳ２０２において、加熱手段ａ８が通電されていたのであれば、今回読出したＴａと今回の通電時間δｔａを足した値を新しいＴａとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０１３０】
Ｓ１９８において加熱手段ａ８、加熱手段ｃ１０ではない加熱手段の操作入力がなされた場合、Ｓ２０３にて加熱手段ｂ９の操作入力がなされ、Ｓ２０４でＴｂからＴａを引いた値が積算通電時間比較手段２０によりＴ３と比較されＴ３より大きければＳ２０５へ進み、Ｔ３より小さければＳ２０９へ進む。
【０１３１】
Ｓ２０５へ進むとＴｂからＴａを引いた値がＴ３より大きかったことから、制御手段１１が加熱手段ｂ９を駆動するインバータ回路ｂ２２への出力を制限する指令を出し、加熱手段ｂ９の出力を制限して通電を開始する。
通電が開始されると同時にＳ２０６ではδｔｂｒの通電時間の積算が、積算通電時間記憶手段１９により開始される。
【０１３２】
次にＳ２０７にて加熱手段ｂ９の通電が終了するとＳ２０８において、今回読出したＴｂと今回の通電時間δｔｂｒを足した値を新しいＴｂとして、積算通電時間記憶手段１９が記憶して動作を終了する。
【０１３３】
Ｓ２０４でＴｂからＴａを引いた値が積算通電時間比較手段２０によりＴ３と比較され、Ｔ３より小さいことでＳ２０９へ進むと加熱手段ｂ９の出力を制限せず通電を開始する。通電が開始されると同時にＳ２１０ではδｔｂの通電時間の積算が、積算通電時間記憶手段１９により開始される。
【０１３４】
次にＳ２１１にて加熱手段ｂ９の通電が終了するとＳ２１２において、今回読出したＴｂと今回の通電時間δｔｂを足した値を新しいＴｂとして、積算通電時間記憶手段１９が記憶して動作を終了する。
【０１３５】
Ｓ１９６でＴｂからＴｃを引いた値がＴ２より小さいとＶの行程へ進み、図２０のようにＳ２１３で加熱手段ａ８の使用を促す報知を行いＳ２１４へ進む。Ｓ２１４では加熱手段ａ８の操作入力がなされた場合、Ｓ２１３で加熱手段ａ８の使用を促す報知を行っているので、Ｓ２１５へ進み、加熱手段ａ８の通電を開始する。
【０１３６】
通電が開始されると同時にＳ２１６ではδｔａの通電時間の積算が、積算通電時間記憶手段１９により開始される。次にＳ２１７にて加熱手段ａ８の通電が終了するとＳ２１８において、今回読出したＴａと今回の通電時間δｔａを足した値を新しいＴａとして、積算通電時間記憶手段１９が記憶して動作を終了する。
【０１３７】
Ｓ２１４において加熱手段ａ８ではない加熱手段の操作入力がなされ、Ｓ２１９にて加熱手段ｃ１０の操作入力がなされるとＳ２２０へ進み、加熱手段ｃ１０ではない加熱手段の操作入力がなされるとＸ行程へ進む。Ｓ２２０へ進むとＴｃからＴａを引いた値が積算通電時間比較手段２０によりＴ３と比較されＴ３より大きければＳ２２１へ進み、Ｔ３より小さければＳ２２５へ進む。
【０１３８】
Ｓ２２１へ進むとＴｃからＴａを引いた値がＴ３より大きかったことから、制御手段１１が加熱手段ｃ１０を駆動するインバータ回路ｃ２３への出力を制限する指令を出し、加熱手段ｃ１０の出力を制限して通電を開始する。
通電が開始されると同時にＳ２２２ではδｔｃｒの通電時間の積算が、積算通電時間記憶手段１９により開始される。
【０１３９】
次にＳ２２３にて加熱手段ｃ１０の通電が終了するとＳ２２４において、今回読出したＴｃと今回の通電時間δｔｃｒを足した値を新しいＴｃとして、積算通電時間記憶手段１９が記憶して動作を終了する。
【０１４０】
Ｓ２２０でＴｃからＴａを引いた値が積算通電時間比較手段２０によりＴ３と比較され、Ｔ３より小さいことでＳ２２５へ進むと加熱手段ｃ１０の出力を制限せず通電を開始する。通電が開始されると同時にＳ２２６ではδｔｃの通電時間の積算が、積算通電時間記憶手段１９により開始される。
【０１４１】
次にＳ２２７にて加熱手段ｃ１０の通電が終了するとＳ２２８において、今回読出したＴｃと今回の通電時間δｔｃを足した値を新しいＴｃとして、積算通電時間記憶手段１９が記憶して動作を終了する。
【０１４２】
Ｓ２１９で加熱手段ｃ１０ではない加熱手段の操作入力がなされると図１９に戻りＸの行程へ移行しＳ２０３へ進む。Ｓ２０３以降の動作は前述の動作と同様であるので、ここでの説明は省略する。
【０１４３】
Ｓ１９５でＴｂからＴａを引いた値がＴ２より小さいと図１２に戻りＪの行程へ進み、比較した各々の加熱手段の積算通電時間の差が小さいので加熱手段ａ８、加熱手段ｂ９、加熱手段ｃ１０のどれを使用しても良いとしＳ７５へ進む。Ｓ７５以降の動作は前述の動作と同様であるので、ここでの説明は省略する。
【０１４４】
Ｓ１９４でＷの行程へ進んだ場合、図２１のようにＴａ、Ｔｂ、ＴｃはＳ２２９で積算通電時間比較手段２０により比較され、比較された積算通電時間の関係がＴｃ≧Ｔａ≧Ｔｂの関係ならばＳ２３０へ進む。ここでＴｃ≧Ｔａ≧Ｔｂの関係が成立していない時はＺの行程へ進む。
【０１４５】
Ｓ２３０ではＴｃからＴｂを引いた値が積算通電時間比較手段２０によりＴ２と比較され、Ｔ２より大きければＳ２３１へ進み、Ｔ２より小さければＪの行程へ進む。Ｓ２３１ではＴｃからＴａを引いた値が積算通電時間比較手段２０によりＴ２と比較され、Ｔ２より大きければＴｃがＴｂ、Ｔａと比較して積算通電時間が長くなっているのでＳ２３２にて加熱手段ｂ９又は加熱手段ａ８の使用を促す報知を行いＳ２３３へ進み、Ｔ２より小さければＹの行程へ進む。
【０１４６】
Ｓ２３３では加熱手段ｂ９、加熱手段ａ８のいずれかまたは両方の操作入力がなされた場合、Ｓ２３２で加熱手段ｂ９又は加熱手段ａ８の使用を促す報知を行っているので、Ｓ２３４へ進み、加熱手段ｂ９又は加熱手段ａ８の通電を開始する。
【０１４７】
通電が開始されると同時にＳ２３５ではδｔｂ、δｔａのいずれかまたは両方の通電時間の積算が、積算通電時間記憶手段１９により開始される。次にＳ２３６にて加熱手段ｂ９、加熱手段ａ８のいずれかまたは両方の通電が終了するとＳ２３７において、加熱手段ｂ９が通電されていたのであれば、今回読出したＴｂと今回の通電時間δｔｂを足した値を新しいＴｂとして、加熱手段ａ８が通電されていたのであれば、今回読出したＴａと今回の通電時間δｔａを足した値を新しいＴａとして、積算通電時間記憶手段１９が記憶して動作を終了する。
【０１４８】
Ｓ２３３において加熱手段ｂ９、加熱手段ａ８ではない加熱手段の操作入力がなされた場合、Ｓ２３８にて加熱手段ｃ１０の操作入力がなされ、Ｓ２３９でＴｃからＴｂを引いた値が積算通電時間比較手段２０によりＴ３と比較されＴ３より大きければＳ２４０へ進み、Ｔ３より小さければＳ２４４へ進む。
【０１４９】
Ｓ２４０へ進むとＴｃからＴｂを引いた値がＴ３より大きかったことから、制御手段１１が加熱手段ｃ１０を駆動するインバータ回路ｃ２３への出力を制限する指令を出し、加熱手段ｃ１０の出力を制限して通電を開始する。
通電が開始されると同時にＳ２４１ではδｔｃｒの通電時間の積算が、積算通電時間記憶手段１９により開始される。
【０１５０】
次にＳ２４２にて加熱手段ｃ１０の通電が終了するとＳ２４３において、今回読出したＴｃと今回の通電時間δｔｃｒを足した値を新しいＴｃとして、積算通電時間記憶手段１９が記憶して動作を終了する。
【０１５１】
Ｓ２３９でＴｃからＴｂを引いた値が積算通電時間比較手段２０によりＴ３と比較され、Ｔ３より小さいことでＳ２４４へ進むと加熱手段ｃ１０の出力を制限せず通電を開始する。通電が開始されると同時にＳ２４５ではδｔｃの通電時間の積算が、積算通電時間記憶手段１９により開始される。
【０１５２】
次にＳ２４６にて加熱手段ｃ１０の通電が終了するとＳ２４７において、今回読出したＴｃと今回の通電時間δｔｃを足した値を新しいＴｃとして、積算通電時間記憶手段１９が記憶して動作を終了する。
【０１５３】
Ｓ２３１でＴｃからＴａを引いた値がＴ２より小さいとＹの行程へ進み、図２２のようにＳ２４８で加熱手段ｂ９の使用を促す報知を行いＳ２４９へ進む。Ｓ２４９では加熱手段ｂ９の操作入力がなされた場合、Ｓ２４８で加熱手段ｂ９の使用を促す報知を行っているので、Ｓ２５０へ進み、加熱手段ｂ９の通電を開始する。
【０１５４】
通電が開始されると同時にＳ２５１ではδｔｂの通電時間の積算が、積算通電時間記憶手段１９により開始される。次にＳ２５２にて加熱手段ｂ９の通電が終了するとＳ２５３において、今回読出したＴｂと今回の通電時間δｔｂを足した値を新しいＴｂとして、積算通電時間記憶手段１９が記憶して動作を終了する。
【０１５５】
Ｓ２４９において加熱手段ｂ９ではない加熱手段の操作入力がなされ、Ｓ２５４にて加熱手段ａ８の操作入力がなされるとＳ２５５へ進み、加熱手段ａ８ではない加熱手段の操作入力がなされるとＡＡの行程へ進む。Ｓ２５５へ進むとＴａからＴｂを引いた値が積算通電時間比較手段２０によりＴ３と比較されＴ３より大きければＳ２５６へ進み、Ｔ３より小さければＳ２６０へ進む。
【０１５６】
Ｓ２５６へ進むとＴａからＴｂを引いた値がＴ３より大きかったことから、制御手段１１が加熱手段ａ８を駆動するインバータ回路ａ２１への出力を制限する指令を出し、加熱手段ａ８の出力を制限して通電を開始する。
通電が開始されると同時にＳ２５７ではδｔａｒの通電時間の積算が、積算通電時間記憶手段１９により開始される。
【０１５７】
次にＳ２５８にて加熱手段ａ８の通電が終了するとＳ２５９において、今回読出したＴａと今回の通電時間δｔａｒを足した値を新しいＴａとして、積算通電時間記憶手段１９が記憶して動作を終了する。
【０１５８】
Ｓ２５５でＴａからＴｂを引いた値が積算通電時間比較手段２０によりＴ３と比較され、Ｔ３より小さいことでＳ２６０へ進むと加熱手段ａ８の出力を制限せず通電を開始する。通電が開始されると同時にＳ２６１ではδｔａの通電時間の積算が、積算通電時間記憶手段１９により開始される。
【０１５９】
次にＳ２６２にて加熱手段ａ８の通電が終了するとＳ２６３において、今回読出したＴａと今回の通電時間δｔａを足した値を新しいＴａとして、積算通電時間記憶手段１９が記憶して動作を終了する。
【０１６０】
Ｓ２５４で加熱手段ａ８ではない加熱手段の操作入力がなされると図２１に戻りＡＡの行程へ進みＳ２３８へ進む。Ｓ２３８以降の動作は前述の動作と同様であるので、ここでの説明は省略する。
【０１６１】
Ｓ２３０でＴｃからＴｂを引いた値がＴ２より小さいと図１２に戻りＪの行程へ進み、比較した各々の加熱手段の積算通電時間の差が小さいので加熱手段ａ８、加熱手段ｂ９、加熱手段ｃ１０のどれを使用しても良いとしＳ７５へ進む。Ｓ７５以降の動作は前述の動作と同様であるので、ここでの説明は省略する。
【０１６２】
Ｓ２２９でＺの行程へ進んだ場合、図２３のようにＴａ、Ｔｂ、ＴｃはＳ２６４で積算通電時間比較手段２０により比較され、比較された積算通電時間の関係がＴｃ≧Ｔｂ≧Ｔａの関係の関係が成立しているのでＳ２６５へ進む。
【０１６３】
Ｓ２６５ではＴｃからＴａを引いた値が積算通電時間比較手段２０によりＴ２と比較され、Ｔ２より大きければＳ２６６へ進み、Ｔ２より小さければＪの行程へ進む。Ｓ２６６ではＴｃからＴｂを引いた値が積算通電時間比較手段２０によりＴ２と比較され、Ｔ２より大きければＴｃがＴａ、Ｔｂと比較して積算通電時間が長くなっているのでＳ２６７にて加熱手段ａ８又は加熱手段ｂ９の使用を促す報知を行いＳ２６８へ進み、Ｔ２より小さければＡＢの行程へ進む。
【０１６４】
Ｓ２６８では加熱手段ａ８、加熱手段ｂ９のいずれかまたは両方の操作入力がなされた場合、Ｓ２６７で加熱手段ａ８又は加熱手段ｂ９の使用を促す報知を行っているので、Ｓ２６９へ進み、加熱手段ａ８又は加熱手段ｂ９の通電を開始する。
【０１６５】
通電が開始されると同時にＳ２７０ではδｔａ、δｔｂのいずれかまたは両方の通電時間の積算が、積算通電時間記憶手段１９により開始される。次にＳ２７１にて加熱手段ａ８、加熱手段ｂ９のいずれかまたは両方の通電が終了するとＳ２７２において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、積算通電時間記憶手段１９が記憶して動作を終了する。
【０１６６】
Ｓ２６８において加熱手段ａ８、加熱手段ｂ９ではない加熱手段の操作入力がなされた場合、Ｓ２７３にて加熱手段ｃ１０の操作入力がなされ、Ｓ２７４でＴｃからＴａを引いた値が積算通電時間比較手段２０によりＴ３と比較されＴ３より大きければＳ２７５へ進み、Ｔ３より小さければＳ２７９へ進む。
【０１６７】
Ｓ２７５へ進むとＴｃからＴａを引いた値がＴ３より大きかったことから、制御手段１１が加熱手段ｃ１０を駆動するインバータ回路ｃ２３への出力を制限する指令を出し、加熱手段ｃ１０の出力を制限して通電を開始する。
通電が開始されると同時にＳ２７６ではδｔｃｒの通電時間の積算が、積算通電時間記憶手段１９により開始される。
【０１６８】
次にＳ２７７にて加熱手段ｃ１０の通電が終了するとＳ２７８において、今回読出したＴｃと今回の通電時間δｔｃｒを足した値を新しいＴｃとして、積算通電時間記憶手段１９が記憶して動作を終了する。
【０１６９】
Ｓ２７４でＴｃからＴａを引いた値が積算通電時間比較手段２０によりＴ３と比較され、Ｔ３より小さいことでＳ２７９へ進むと加熱手段ｃ１０の出力を制限せず通電を開始する。通電が開始されると同時にＳ２８０ではδｔｃの通電時間の積算が、積算通電時間記憶手段１９により開始される。
【０１７０】
次にＳ２８１にて加熱手段ｃ１０の通電が終了するとＳ２８２において、今回読出したＴｃと今回の通電時間δｔｃを足した値を新しいＴｃとして、積算通電時間記憶手段１９が記憶して動作を終了する。
【０１７１】
Ｓ２６６でＴｃからＴｂを引いた値がＴ２より小さいとＡＢの行程へ進み、図２４のようにＳ２８３で加熱手段ａ８の使用を促す報知を行いＳ２８４へ進む。Ｓ２８４では加熱手段ａ８の操作入力がなされた場合、Ｓ２８３で加熱手段ａ８の使用を促す報知を行っているので、Ｓ２８５へ進み、加熱手段ａ８の通電を開始する。
【０１７２】
通電が開始されると同時にＳ２８６ではδｔａの通電時間の積算が、積算通電時間記憶手段１９により開始される。次にＳ２８７にて加熱手段ａ８の通電が終了するとＳ２８８において、今回読出したＴａと今回の通電時間δｔａを足した値を新しいＴａとして、積算通電時間記憶手段１９が記憶して動作を終了する。
【０１７３】
Ｓ２８４において加熱手段ａ８ではない加熱手段の操作入力がなされ、Ｓ２８９にて加熱手段ｂ９の操作入力がなされるとＳ２９０へ進み、加熱手段ｂ９ではない加熱手段の操作入力がなされるとＡＣ行程へ進む。Ｓ２９０へ進むとＴｂからＴａを引いた値が積算通電時間比較手段２０によりＴ３と比較されＴ３より大きければＳ２９１へ進み、Ｔ３より小さければＳ２９５へ進む。
【０１７４】
Ｓ２９１へ進むとＴｂからＴａを引いた値がＴ３より大きかったことから、制御手段１１が加熱手段ｂ９を駆動するインバータ回路ｂ２２への出力を制限する指令を出し、加熱手段ｂ９の出力を制限して通電を開始する。
通電が開始されると同時にＳ２９２ではδｔｂｒの通電時間の積算が、積算通電時間記憶手段１９により開始される。
【０１７５】
次にＳ２９３にて加熱手段ｂ９の通電が終了するとＳ２９４において、今回読出したＴｂと今回の通電時間δｔｂｒを足した値を新しいＴｂとして、積算通電時間記憶手段１９が記憶して動作を終了する。
【０１７６】
Ｓ２９０でＴｂからＴａを引いた値が積算通電時間比較手段２０によりＴ３と比較され、Ｔ３より小さいことでＳ２９５へ進むと加熱手段ｂ９の出力を制限せず通電を開始する。通電が開始されると同時にＳ２９６ではδｔｂの通電時間の積算が、積算通電時間記憶手段１９により開始される。
【０１７７】
次にＳ２９７にて加熱手段ｂ９の通電が終了するとＳ２９８において、今回読出したＴｂと今回の通電時間δｔｂを足した値を新しいＴｂとして、積算通電時間記憶手段１９が記憶して動作を終了する。
【０１７８】
Ｓ２８９で加熱手段ｂ９ではない加熱手段の操作入力がなされると図２３に戻りＡＣの行程へ進みＳ２７３へ進む。Ｓ２７３以降の動作は前述の動作と同様であるので、ここでの説明は省略する。
【０１７９】
Ｓ２６５でＴｃからＴａを引いた値がＴ２より小さいと図１２に戻りＪの行程へ進み、比較した各々の加熱手段の積算通電時間の差が小さいので加熱手段ａ８、加熱手段ｂ９、加熱手段ｃ１０のどれを使用しても良いとしＳ７５へ進む。Ｓ７５以降の動作は前述の動作と同様であるので、ここでの説明は省略する。
【０１８０】
以上の動作により、使用者が特定の加熱手段を使いたがる傾向にあっても、積算通電時間が他と比較して大きくなっている加熱手段は出力を制限するようにしたことで、加熱手段の配置や火力の大小等、種々に分かれる複数の加熱手段の使い易さを考慮して制御を構築することができ、加熱調理器としてのメンテナンス時期に達するまでの時間を延ばすことができる。
【０１８１】
また、実施の形態１、２と同様に、積算通電時間の値が小さい加熱手段の使用を促し、複数の加熱手段をバランス良く使うことを使用者に意識させ、複数の加熱手段をバランス良く使うことで各々の通電時間を近づけることができる。
【０１８２】
また、高周波交流電流が流れていることで高温となって、誘導加熱コイルの絶縁劣化が進行する電磁誘導加熱方式の加熱手段を複数備える加熱調理器では、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。  
【０１８３】
なお、本実施の形態３では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【０１８４】
実施の形態４．
図２５は本発明の実施の形態４の加熱調理器の動作説明のためのフローチャートであり、本発明の実施の形態４の加熱調理器の動作ついて図２５を使って説明する。なお、実施の形態４においては、図１から図３で示した実施の形態１の構成を使用するものであり、よってここでの説明は省略する。
【０１８５】
図においてメインスイッチ７がＯＮされると、Ｓ３０１ではＴａ、Ｔｂ，Ｔｃが積算通電時間記憶手段１９から各々読出しされる。読出されたＴａはＳ３０２で積算通電時間比較手段２０によりＴ１と比較され、比較された積算通電時間の関係がＴａ≧Ｔ１の関係ならばＳ３０３へ進む。ここでＴａ≧Ｔ１の関係が成立していない時はＳ３１５へ進む。
【０１８６】
Ｓ３０３ではＴｂが積算通電時間比較手段２０によりＴ１と比較され、比較された積算通電時間の関係がＴｂ≧Ｔ１の関係ならばＳ３０４へ進む。ここでＴｂ≧Ｔ１の関係が成立していない時はＳ３１２へ進む。
【０１８７】
Ｓ３０４ではＴｃが積算通電時間比較手段２０によりＴ１と比較され、比較された積算通電時間の関係がＴｃ≧Ｔ１の関係ならばＳ３０５へ進む。ここでＴｃ≧Ｔ１の関係が成立していない時はＳ３１１へ進む。
【０１８８】
Ｓ３０５では加熱手段ａ８、加熱手段ｂ９、加熱手段ｃ１０のいずれかまたは全ての操作入力を受付け、Ｓ３０６では操作された加熱手段ａ８、加熱手段ｂ９、加熱手段ｃ１０のいずれかまたは全ての通電が開始される。通電が開始されると同時にＳ３０７ではδｔａ、δｔｂ、δｔｃのいずれかまたは全ての通電時間の積算が、積算通電時間記憶手段１９により開始される。
【０１８９】
次にＳ３０８にて加熱手段ａ８、加熱手段ｂ９、加熱手段ｃ１０のいずれかまたは全ての通電が終了するとＳ３０９において、メインスイッチ７をＯＦＦすると、Ｓ３１０へ進み、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０１９０】
Ｓ３０２でＳ３１５へ進んだ場合、Ｔｂが積算通電時間比較手段２０によりＴ１と比較され、比較された積算通電時間の関係がＴｂ≧Ｔ１の関係ならばＳ３１６へ進む。ここでＴｂ≧Ｔ１の関係が成立していない時はＳ３１９へ進む。
【０１９１】
Ｓ３１６ではＴｃが積算通電時間比較手段２０によりＴ１と比較され、比較された積算通電時間の関係がＴｃ≧Ｔ１の関係ならばＳ３１７へ進み、Ｓ３１７にて加熱手段ａ８の使用を促す報知を行いＳ３０５へ進む。ここでＴｃ≧Ｔ１の関係が成立していない時はＳ３１８へ進み、Ｓ３１８にて加熱手段ａ８又は加熱手段ｃ１０の使用を促す報知を行いＳ３０５へ進む。Ｓ３０５以降の動作は前述の動作と同様であるので、ここでの説明は省略する。
【０１９２】
Ｓ３１５でＳ３１９へ進んだ場合、Ｓ３１９ではＴｃが積算通電時間比較手段２０によりＴ１と比較され、比較された積算通電時間の関係がＴｃ≧Ｔ１の関係ならばＳ３２０へ進み、Ｓ３２０にて加熱手段ａ８又は加熱手段ｂ９の使用を促す報知を行いＳ３０５へ進む。ここでＴｃ≧Ｔ１の関係が成立していない時は、各々の加熱手段の積算通電時間がＴ１より小さいので加熱手段ａ８、加熱手段ｂ９、加熱手段ｃ１０のどれを使用しても良いとし、特定の加熱手段の使用を促す報知をせずにＳ３０５へ進む。Ｓ３０５以降の動作は前述の動作と同様であるので、ここでの説明は省略する。
【０１９３】
Ｓ３０３でＳ３１２へ進んだ場合、Ｔｃが積算通電時間比較手段２０によりＴ１と比較され、比較された積算通電時間の関係がＴｃ≧Ｔ１の関係ならばＳ３１３へ進み、Ｓ３１３にて加熱手段ｂ９の使用を促す報知を行いＳ３０５へ進む。ここでＴｃ≧Ｔ１の関係が成立していない時はＳ３１４へ進み、Ｓ３１４にて加熱手段ｂ９又は加熱手段ｃ１０の使用を促す報知を行いＳ３０５へ進む。Ｓ３０５以降の動作は前述の動作と同様であるので、ここでの説明は省略する。
【０１９４】
Ｓ３０４でＳ３１１へ進んだ場合、Ｓ３１１にて加熱手段ｃ１０の使用を促す報知を行いＳ３０５へ進む。Ｓ３０５以降の動作は前述の動作と同様であるので、ここでの説明は省略する。
【０１９５】
以上の動作により、メインスイッチをＯＦＦしてから積算通電時間を記憶するようにしたので、本体内部で発生するノイズ等の影響を受けないため、記憶時の誤動作を少なくすることができる。また、実施の形態１、２、３と同様に、積算通電時間の値が小さい加熱手段の使用を促し、複数の加熱手段をバランス良く使うことを使用者に意識させ、複数の加熱手段をバランス良く使うことで各々の通電時間を近づけることができる。
【０１９６】
また、高周波交流電流が流れていることで高温となって、誘導加熱コイルの絶縁劣化が進行する電磁誘導加熱方式の加熱手段を複数備える加熱調理器で、特定の加熱手段のみ使用されることがなくなるので、特定の加熱手段の劣化のみが進行することなく、複数の加熱手段のメンテナンス時期を揃え、複数の加熱手段のメンテナンス時期を揃えることで、加熱調理器としてのメンテナンス時期に達するまでの時間を延ばすことができる。
【０１９７】
なお、本実施の形態４では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【０１９８】
実施の形態５．
図２６は本発明の実施の形態５の加熱調理器の動作説明のためのフローチャートであり、本発明の実施の形態５の加熱調理器の動作ついて図２６を使って説明する。なお、実施の形態５においては、図１から図３で示した実施の形態１の構成を使用するものであり、よってここでの説明は省略する。
【０１９９】
図２６においてメインスイッチ７がＯＮされると、Ｓ４０１ではＴａ、Ｔｂ、Ｔｃが積算通電時間記憶手段１９から各々読出しされる。次にＳ４０２にてＴａ、Ｔｂ、Ｔｃが報知手段ａ１２、報知手段ｂ１３、報知手段ｃ１４により報知される。
【０２００】
読出され報知された後、ＴａはＳ４０３で積算通電時間比較手段２０によりＴ１と比較され、比較された積算通電時間の関係がＴａ≧Ｔ１の関係ならばＳ４０４へ進む。ここでＴａ≧Ｔ１の関係が成立していない時はＳ４１５へ進む。
【０２０１】
Ｓ４０４ではＴｂが積算通電時間比較手段２０によりＴ１と比較され、比較された積算通電時間の関係がＴｂ≧Ｔ１の関係ならばＳ４０５へ進む。ここでＴｂ≧Ｔ１の関係が成立していない時はＳ４１２へ進む。
【０２０２】
Ｓ４０５ではＴｃが積算通電時間比較手段２０によりＴ１と比較され、比較された積算通電時間の関係がＴｃ≧Ｔ１の関係ならばＳ４０６へ進む。ここでＴｃ≧Ｔ１の関係が成立していない時はＳ４１１へ進む。
【０２０３】
Ｓ４０６では加熱手段ａ８、加熱手段ｂ９、加熱手段ｃ１０のいずれかまたは全ての操作入力を受付け、Ｓ４０７では操作された加熱手段ａ８、加熱手段ｂ９、加熱手段ｃ１０のいずれかまたは全ての通電が開始される。通電が開始されると同時にＳ４０８ではδｔａ、δｔｂ、δｔｃのいずれかまたは全ての通電時間の積算が、積算通電時間記憶手段１９により開始される。
【０２０４】
次にＳ４０９にて加熱手段ａ８、加熱手段ｂ９、加熱手段ｃ１０のいずれかまたは全ての通電が終了するとＳ４１０において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０２０５】
Ｓ４０３でＳ４１５へ進んだ場合、Ｔｂが積算通電時間比較手段２０によりＴ１と比較され、比較された積算通電時間の関係がＴｂ≧Ｔ１の関係ならばＳ４１６へ進む。ここでＴｂ≧Ｔ１の関係が成立していない時はＳ４１９へ進む。
【０２０６】
Ｓ４１６ではＴｃが積算通電時間比較手段２０によりＴ１と比較され、比較された積算通電時間の関係がＴｃ≧Ｔ１の関係ならばＳ４１７へ進み、Ｓ４１７にて加熱手段ａ８の使用を促す報知を行いＳ４０６へ進む。ここでＴｃ≧Ｔ１の関係が成立していない時はＳ４１８へ進み、Ｓ４１８にて加熱手段ａ８又は加熱手段ｃ１０の使用を促す報知を行いＳ４０６へ進む。Ｓ４０６以降の動作は前述の動作と同様であるので、ここでの説明は省略する。
【０２０７】
Ｓ４１５でＳ４１９へ進んだ場合、Ｓ４１９ではＴｃが積算通電時間比較手段２０によりＴ１と比較され、比較された積算通電時間の関係がＴｃ≧Ｔ１の関係ならばＳ４２０へ進み、Ｓ４２０にて加熱手段ａ８又は加熱手段ｂ９の使用を促す報知を行いＳ４０６へ進む。ここでＴｃ≧Ｔ１の関係が成立していない時は、各々の加熱手段の積算通電時間がＴ１より小さいので加熱手段ａ８、加熱手段ｂ９、加熱手段ｃ１０のどれを使用しても良いとし、特定の加熱手段の使用を促す報知をせずにＳ４０６へ進む。Ｓ４０６以降の動作は前述の動作と同様であるので、ここでの説明は省略する。
【０２０８】
Ｓ４０４でＳ４１２へ進んだ場合、Ｔｃが積算通電時間比較手段２０によりＴ１と比較され、比較された積算通電時間の関係がＴｃ≧Ｔ１の関係ならばＳ４１３へ進み、Ｓ４１３にて加熱手段ｂ９の使用を促す報知を行いＳ４０６へ進む。ここでＴｃ≧Ｔ１の関係が成立していない時はＳ４１４へ進み、Ｓ４１４にて加熱手段ｂ９又は加熱手段ｃ１０の使用を促す報知を行いＳ４０６へ進む。Ｓ４０６以降の動作は前述の動作と同様であるので、ここでの説明は省略する。
【０２０９】
Ｓ４０５でＳ４１１へ進んだ場合、Ｓ４１１にて加熱手段ｃ１０の使用を促す報知を行いＳ４０６へ進む。Ｓ４０６以降の動作は前述の動作と同様であるので、ここでの説明は省略する。
【０２１０】
以上の動作により、加熱手段の積算通電時間を報知するようにしたので、使用者が加熱手段をより選択し易くすることができる。
【０２１１】
また、実施の形態１、２、３、４と同様に、積算通電時間の値が小さい加熱手段の使用を促し、複数の加熱手段をバランス良く使うことを使用者に意識させ、複数の加熱手段をバランス良く使うことで各々の通電時間を近づけることができる。
【０２１２】
また、高周波交流電流が流れていることで高温となって、誘導加熱コイルの絶縁劣化が進行する電磁誘導加熱方式の加熱手段を複数備える加熱調理器で、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。
【０２１３】
なお、本実施の形態５では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形報知するようにしたが、音声による報知、又は音声と表示の複合による報知でも良い。
【０２１４】
また、本実施の形態５では、加熱手段毎に報知手段を設けているが、１つの報知手段で複数の加熱手段の情報を報知するようにしても良い。
【０２１５】
実施の形態６．
図２７は本発明の実施の形態６の加熱調理器の動作説明のためのフローチャートであり、本発明の実施の形態６の加熱調理器の動作ついて図２７を使って説明する。なお、実施の形態６においては、図１から図３で示した実施の形態１の構成を使用するものであり、よってここでの説明は省略する。
【０２１６】
図２７においてメインスイッチ７がＯＮされると、Ｓ５０１ではＴａ、Ｔｂ，Ｔｃが積算通電時間記憶手段１９から各々読出しされる。次にＳ５０２にて積算通電時間比較手段２０によりＴｘ―Ｔａ、Ｔｘ―Ｔｂ、Ｔｘ―Ｔｃが算出され報知手段ａ１２、報知手段ｂ１３、報知手段ｃ１４により報知される。ここで、Ｔｘとは予め設定した所定の値で通電可能時間のことをいい、積算通電時間比較手段２０にデータとして保持されていて、Ｔｘ―Ｔａは加熱手段ａ８の今後使用可能な通電時間、Ｔｘ―Ｔｂは加熱手段ｂ９の今後使用可能な通電時間、Ｔｘ―Ｔｃは加熱手段ｃ１０の今後使用可能な通電時間である。
【０２１７】
次にＳ５０３でＴａは積算通電時間比較手段２０によりＴ１と比較され、比較された積算通電時間の関係がＴａ≧Ｔ１の関係ならばＳ５０４へ進む。ここでＴａ≧Ｔ１の関係が成立していない時はＳ５１５へ進む。
【０２１８】
Ｓ５０４ではＴｂが積算通電時間比較手段２０によりＴ１と比較され、比較された積算通電時間の関係がＴｂ≧Ｔ１の関係ならばＳ５０５へ進む。ここでＴｂ≧Ｔ１の関係が成立していない時はＳ５１２へ進む。
【０２１９】
Ｓ５０５ではＴｃが積算通電時間比較手段２０によりＴ１と比較され、比較された積算通電時間の関係がＴｃ≧Ｔ１の関係ならばＳ５０６へ進む。ここでＴｃ≧Ｔ１の関係が成立していない時はＳ５１１へ進む。
【０２２０】
Ｓ５０６では加熱手段ａ８、加熱手段ｂ９、加熱手段ｃ１０のいずれかまたは全ての操作入力を受付け、Ｓ５０７では操作された加熱手段ａ８、加熱手段ｂ９、加熱手段ｃ１０のいずれかまたは全ての通電が開始される。通電が開始されると同時にＳ５０８ではδｔａ、δｔｂ、δｔｃのいずれかまたは全ての通電時間の積算が、積算通電時間記憶手段１９により開始される。
【０２２１】
次にＳ５０９にて加熱手段ａ８、加熱手段ｂ９、加熱手段ｃ１０のいずれかまたは全ての通電が終了するとＳ５１０において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０２２２】
Ｓ５０３でＳ５１５へ進んだ場合、Ｔｂが積算通電時間比較手段２０によりＴ１と比較され、比較された積算通電時間の関係がＴｂ≧Ｔ１の関係ならばＳ５１６へ進む。ここでＴｂ≧Ｔ１の関係が成立していない時はＳ５１９へ進む。
【０２２３】
Ｓ５１６ではＴｃが積算通電時間比較手段２０によりＴ１と比較され、比較された積算通電時間の関係がＴｃ≧Ｔ１の関係ならばＳ５１７へ進み、Ｓ５１７にて加熱手段ａ８の使用を促す報知を行いＳ５０６へ進む。ここでＴｃ≧Ｔ１の関係が成立していない時はＳ５１８へ進み、Ｓ５１８にて加熱手段ａ８又は加熱手段ｃ１０の使用を促す報知を行いＳ５０６へ進む。Ｓ５０６以降の動作は前述の動作と同様であるので、ここでの説明は省略する。
【０２２４】
Ｓ５１５でＳ５１９へ進んだ場合、Ｓ５１９ではＴｃが積算通電時間比較手段２０によりＴ１と比較され、比較された積算通電時間の関係がＴｃ≧Ｔ１の関係ならばＳ５２０へ進み、Ｓ５２０にて加熱手段ａ８又は加熱手段ｂ９の使用を促す報知を行いＳ５０６へ進む。ここでＴｃ≧Ｔ１の関係が成立していない時は、各々の加熱手段の積算通電時間がＴ１より小さいので加熱手段ａ８、加熱手段ｂ９、加熱手段ｃ１０のどれを使用しても良いとし、特定の加熱手段の使用を促す報知をせずにＳ５０６へ進む。Ｓ５０６以降の動作は前述の動作と同様であるので、ここでの説明は省略する。
【０２２５】
Ｓ５０４でＳ５１２へ進んだ場合、Ｔｃが積算通電時間比較手段２０によりＴ１と比較され、比較された積算通電時間の関係がＴｃ≧Ｔ１の関係ならばＳ５１３へ進み、Ｓ５１３にて加熱手段ｂ９の使用を促す報知を行いＳ５０６へ進む。ここでＴｃ≧Ｔ１の関係が成立していない時はＳ５１４へ進み、Ｓ５１４にて加熱手段ｂ９又は加熱手段ｃ１０の使用を促す報知を行いＳ５０６へ進む。Ｓ５０６以降の動作は前述の動作と同様であるので、ここでの説明は省略する。
【０２２６】
Ｓ５０５でＳ５１１へ進んだ場合、Ｓ５１１にて加熱手段ｃ１０の使用を促す報知を行いＳ５０６へ進む。Ｓ５０６以降の動作は前述の動作と同様であるので、ここでの説明は省略する。
【０２２７】
以上の動作により、加熱手段の今後使用可能な通電時間を報知するようにしたので、使用者が加熱手段の状態を把握でき、使用者が加熱手段をより選択し易くすることで、使い勝手を向上することができる。
【０２２８】
また、実施の形態１、２、３、４、５と同様に、積算通電時間の値が小さい加熱手段の使用を促し、複数の加熱手段をバランス良く使うことを使用者に意識させ、複数の加熱手段をバランス良く使うことで各々の通電時間を近づけることができる。
【０２２９】
また、高周波交流電流が流れていることで高温となって、誘導加熱コイルの絶縁劣化が進行する電磁誘導加熱方式の加熱手段を複数備える加熱調理器で、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。  
【０２３０】
なお、本実施の形態６では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形報知するようにしたが、音声による報知、又は音声と表示の複合による報知でも良い。
【０２３１】
また、本実施の形態６では、加熱手段毎に報知手段を設けているが、１つの報知手段で複数の加熱手段の情報を報知するようにしても良い。
【０２３２】
実施の形態７．
図２８から図２９は本発明の実施の形態３の加熱調理器の動作説明のためのフローチャートであり、本発明の実施の形態３の加熱調理器の動作ついて図２８から図２９を使って説明する。なお、実施の形態３においては、図１から図３で示した実施の形態１の構成を使用するものであり、よってここでの説明は省略する。
【０２３３】
図２８においてメインスイッチ７がＯＮされると、Ｓ６０１ではＴａ、Ｔｂ，Ｔｃが積算通電時間記憶手段１９から各々読出しされる。読出されたＴａはＳ６０２で積算通電時間比較手段２０により所定の値Ｔ１と比較され、比較された積算通電時間の関係がＴａ≧Ｔ１の関係ならばＳ６０３へ進む。ここでＴａ≧Ｔ１の関係が成立していない時はＳ６１４へ進む。
【０２３４】
Ｓ６０３ではＴｂが積算通電時間比較手段２０により所定の値Ｔ１と比較され、比較された積算通電時間の関係がＴｂ≧Ｔ１の関係ならばＳ６０４へ進む。ここでＴｂ≧Ｔ１の関係が成立していない時はＳ６１１へ進む。
【０２３５】
Ｓ６０４ではＴｃが積算通電時間比較手段２０により所定の値Ｔ１と比較され、比較された積算通電時間の関係がＴｃ≧Ｔ１の関係ならばＡＤの行程へ進む。ここでＴｃ≧Ｔ１の関係が成立していない時はＳ６０５へ進み、Ｓ６０５にて加熱手段ｃ１０の使用を促す報知を行いＳ６０６へ進む。
【０２３６】
Ｓ６０６では加熱手段ａ８、加熱手段ｂ９、加熱手段ｃ１０のいずれかまたは全ての操作入力を受付け、Ｓ６０７では操作された加熱手段ａ８、加熱手段ｂ９、加熱手段ｃ１０のいずれかまたは全ての通電が開始される。通電が開始されると同時にＳ６０８ではδｔａ、δｔｂ、δｔｃのいずれかまたは全ての通電時間の積算が、積算通電時間記憶手段１９により開始される。
【０２３７】
次にＳ６０９にて加熱手段ａ８、加熱手段ｂ９、加熱手段ｃ１０のいずれかまたは全ての通電が終了するとＳ６１０において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０２３８】
Ｓ６０２でＳ６１４へ進んだ場合、Ｔｂが積算通電時間比較手段２０によりＴ１と比較され、比較された積算通電時間の関係がＴｂ≧Ｔ１の関係ならばＳ６１５へ進む。ここでＴｂ≧Ｔ１の関係が成立していない時はＳ６１８へ進む。
【０２３９】
Ｓ６１５ではＴｃが積算通電時間比較手段２０によりＴ１と比較され、比較された積算通電時間の関係がＴｃ≧Ｔ１の関係ならばＳ６１６へ進み、Ｓ６１６にて加熱手段ａ８の使用を促す報知を行いＳ６０６へ進む。ここでＴｃ≧Ｔ１の関係が成立していない時はＳ６１７へ進み、Ｓ６１７にて加熱手段ａ８又は加熱手段ｃ１０の使用を促す報知を行いＳ６０６へ進む。Ｓ６０６以降の動作は前述の動作と同様であるので、ここでの説明は省略する。
【０２４０】
Ｓ６１４でＳ６１８へ進んだ場合、Ｓ６１８ではＴｃが積算通電時間比較手段２０によりＴ１と比較され、比較された積算通電時間の関係がＴｃ≧Ｔ１の関係ならばＳ６１９へ進み、Ｓ６１９にて加熱手段ａ８又は加熱手段ｂ９の使用を促す報知を行いＳ６０６へ進む。ここでＴｃ≧Ｔ１の関係が成立していない時はＳ６０６へ進む。Ｓ６０６以降の動作は前述の動作と同様であるので、ここでの説明は省略する。
【０２４１】
Ｓ６０３でＳ６１１へ進んだ場合、Ｔｃが積算通電時間比較手段２０によりＴ１と比較され、比較された積算通電時間の関係がＴｃ≧Ｔ１の関係ならばＳ６１２へ進み、Ｓ６１２にて加熱手段ｂ９の使用を促す報知を行いＳ６０６へ進む。ここでＴｃ≧Ｔ１の関係が成立していない時はＳ６１３へ進み、Ｓ６１３にて加熱手段ｂ９又は加熱手段ｃ１０の使用を促す報知を行いＳ６０６へ進む。Ｓ６０６以降の動作は前述の動作と同様であるので、ここでの説明は省略する。
【０２４２】
Ｓ６０４でＡＤの行程へ進んだ場合、図２９のようにＴａ、Ｔｂ、ＴｃがＳ６２０で積算通電時間比較手段２０により比較され、比較された積算通電時間の関係がＴａ≧Ｔｂ≧Ｔｃの関係ならばＳ６２１へ進む。ここでＴａ≧Ｔｂ≧Ｔｃの関係が成立していない時は次行程へ進む。
【０２４３】
Ｓ６２１ではＴａからＴｃを引いた値が積算通電時間比較手段２０によりＴ２と比較され、Ｔ２より大きければＳ６２２へ進み、Ｔ２より小さければＡＥの行程へ進む。Ｓ６２２ではＴａからＴｂを引いた値が積算通電時間比較手段２０によりＴ２と比較され、Ｔ２より大きければＴａがＴｂ、Ｔｃと比較して積算通電時間が長くなっているのでＳ６２３にて加熱手段ｃ１０又は加熱手段ｂ９の使用を促す報知を行いＳ６２４へ進み、Ｔ２より小さければ次行程へ進む。
【０２４４】
Ｓ６２４では加熱手段ｃ１０、加熱手段ｂ９のいずれかまたは両方の操作入力がなされた場合、Ｓ６２３で加熱手段ｃ１０又は加熱手段ｂ９の使用を促す報知を行っているので、Ｓ６２５へ進み、加熱手段ｃ１０又は加熱手段ｂ９の通電を開始する。
【０２４５】
通電が開始されると同時にＳ６２６ではδｔｃ、δｔｂのいずれかまたは両方の通電時間の積算が、積算通電時間記憶手段１９により開始される。次にＳ６２７にて加熱手段ｃ１０、加熱手段ｂ９のいずれかまたは両方の通電が終了するとＳ６２８において、加熱手段ｃ１０が通電されていたのであれば、今回読出したＴｃと今回の通電時間δｔｃを足した値を新しいＴｃとして、加熱手段ｂ９が通電されていたのであれば、今回読出したＴｂと今回の通電時間δｔｂを足した値を新しいＴｂとして、積算通電時間記憶手段１９が記憶して動作を終了する。
【０２４６】
Ｓ６２４において加熱手段ｃ１０、加熱手段ｂ９ではない加熱手段の操作入力がなされた場合、Ｓ６２９にて加熱手段ａ８の操作入力がなされ、Ｓ６３０でＴａからＴｃを引いた値が積算通電時間比較手段２０によりＴ３と比較されＴ３より大きければＳ６３１へ進み、Ｔ３より小さければＳ６３６へ進む。
【０２４７】
Ｓ６３１へ進むとＴａからＴｃを引いた値がＴ３より大きかったことから、制御手段１１が加熱手段ａ８を駆動するインバータ回路ａ２１への出力を制限する指令を出し、加熱手段ａ８の出力を制限して通電を開始する。
【０２４８】
次にＳ６３２にて加熱手段ａ８が出力制限されていることを報知し、通電が開始されると同時にＳ６３３ではδｔａｒの通電時間の積算が、積算通電時間記憶手段１９により開始される。Ｓ６３４にて加熱手段ａ８の通電が終了するとＳ６３５において、今回読出したＴａと今回の通電時間δｔａｒを足した値を新しいＴａとして、積算通電時間記憶手段１９が記憶して動作を終了する。
【０２４９】
Ｓ６３０でＴａからＴｃを引いた値が積算通電時間比較手段２０によりＴ３と比較され、Ｔ３より小さいことでＳ６３６へ進むと加熱手段ａ８の出力を制限せず通電を開始する。通電が開始されると同時にＳ６３７ではδｔａの通電時間の積算が、積算通電時間記憶手段１９により開始される。
【０２５０】
次にＳ６３８にて加熱手段ａ８の通電が終了するとＳ６３９において、今回読出したＴａと今回の通電時間δｔａを足した値を新しいＴａとして、積算通電時間記憶手段１９が記憶して動作を終了する。
【０２５１】
Ｓ６２１でＴａからＴｃを引いた値がＴ２より小さいと図２８に戻りＡＥの行程へ進み、比較した各々の加熱手段の積算通電時間の差が小さいので加熱手段ａ８、加熱手段ｂ９、加熱手段ｃ１０のどれを使用しても良いとしＳ６０６へ進む。Ｓ６０６以降の動作は前述の動作と同様であるので、ここでの説明は省略する。
【０２５２】
以上の動作により、積算通電時間が他と比較して大きくなっている加熱手段を使用している場合には、その加熱手段の出力を制限していることを、例えば棒グラフのような表示方法で、本来の出力に対して例えば７０から９０％の出力で運転していることを報知することで、使用者が加熱手段の状態を把握でき、加熱手段をより選択し易くすることで、使い勝手を向上することができる。
【０２５３】
また、使用者が特定の加熱手段を使いたがる傾向にあっても、積算通電時間が他と比較して大きくなっている加熱手段は出力を制限するようにしたことで、加熱手段の配置や火力の大小等、種々に分かれる複数の加熱手段の使い易さを考慮して制御を構築することができ、加熱調理器としてのメンテナンス時期に達するまでの時間を延ばすことができる。
【０２５４】
また、実施の形態１、２、３、４、５、６と同様に、積算通電時間の値が小さい加熱手段の使用を促し、複数の加熱手段をバランス良く使うことを使用者に意識させ、複数の加熱手段をバランス良く使うことで各々の通電時間を近づけることができる。
【０２５５】
また、高周波交流電流が流れていることで高温となって、誘導加熱コイルの絶縁劣化が進行する電磁誘導加熱方式の加熱手段を複数備える加熱調理器では、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。  
【０２５６】
なお、本実施の形態７では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【０２５７】
実施の形態８．
図３０から図３１は本発明の実施の形態８の加熱調理器の動作説明のためのフローチャートであり、本発明の実施の形態８の加熱調理器の動作ついて図３０から図３１を使って説明する。なお、実施の形態８においては、図１から図３で示した実施の形態１の構成を使用するものであり、よってここでの説明は省略する。
【０２５８】
図３０においてメインスイッチ７がＯＮされると、Ｓ７０１ではＴａ、Ｔｂ，Ｔｃが積算通電時間記憶手段１９から各々読出しされる。読出されたＴａはＳ７０２で積算通電時間比較手段２０により所定の値Ｔ１と比較され、比較された積算通電時間の関係がＴａ≧Ｔ１の関係ならばＳ７０３へ進む。ここでＴａ≧Ｔ１の関係が成立していない時はＳ７１４へ進む。
【０２５９】
Ｓ７０３ではＴｂが積算通電時間比較手段２０により所定の値Ｔ１と比較され、比較された積算通電時間の関係がＴｂ≧Ｔ１の関係ならばＳ７０４へ進む。ここでＴｂ≧Ｔ１の関係が成立していない時はＳ７１１へ進む。
【０２６０】
Ｓ７０４ではＴｃが積算通電時間比較手段２０により所定の値Ｔ１と比較され、比較された積算通電時間の関係がＴｃ≧Ｔ１の関係ならばＡＦの行程へ進む。ここでＴｃ≧Ｔ１の関係が成立していない時はＳ７０５へ進み、Ｓ７０５にて加熱手段ｃ１０の使用を促す報知を行いＳ７０６へ進む。
【０２６１】
Ｓ７０６では加熱手段ａ８、加熱手段ｂ９、加熱手段ｃ１０のいずれかまたは全ての操作入力を受付け、Ｓ７０７では操作された加熱手段ａ８、加熱手段ｂ９、加熱手段ｃ１０のいずれかまたは全ての通電が開始される。通電が開始されると同時にＳ７０８ではδｔａ、δｔｂ、δｔｃのいずれかまたは全ての通電時間の積算が、積算通電時間記憶手段１９により開始される。
【０２６２】
次にＳ７０９にて加熱手段ａ８、加熱手段ｂ９、加熱手段ｃ１０のいずれかまたは全ての通電が終了するとＳ７１０において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０２６３】
Ｓ７０２でＳ７１４へ進んだ場合、Ｔｂが積算通電時間比較手段２０によりＴ１と比較され、比較された積算通電時間の関係がＴｂ≧Ｔ１の関係ならばＳ７１５へ進む。ここでＴｂ≧Ｔ１の関係が成立していない時はＳ７１８へ進む。
【０２６４】
Ｓ７１５ではＴｃが積算通電時間比較手段２０によりＴ１と比較され、比較された積算通電時間の関係がＴｃ≧Ｔ１の関係ならばＳ７１６へ進み、Ｓ７１６にて加熱手段ａ８の使用を促す報知を行いＳ７０６へ進む。ここでＴｃ≧Ｔ１の関係が成立していない時はＳ７１７へ進み、Ｓ７１７にて加熱手段ａ８又は加熱手段ｃ１０の使用を促す報知を行いＳ７０６へ進む。Ｓ７０６以降の動作は前述の動作と同様であるので、ここでの説明は省略する。
【０２６５】
Ｓ７１４でＳ７１８へ進んだ場合、Ｓ７１８ではＴｃが積算通電時間比較手段２０によりＴ１と比較され、比較された積算通電時間の関係がＴｃ≧Ｔ１の関係ならばＳ７１９へ進み、Ｓ７１９にて加熱手段ａ８又は加熱手段ｂ９の使用を促す報知を行いＳ７０６へ進む。ここでＴｃ≧Ｔ１の関係が成立していない時はＳ７０６へ進む。Ｓ７０６以降の動作は前述の動作と同様であるので、ここでの説明は省略する。
【０２６６】
Ｓ７０３でＳ７１１へ進んだ場合、Ｔｃが積算通電時間比較手段２０によりＴ１と比較され、比較された積算通電時間の関係がＴｃ≧Ｔ１の関係ならばＳ７１２へ進み、Ｓ７１２にて加熱手段ｂ９の使用を促す報知を行いＳ７０６へ進む。ここでＴｃ≧Ｔ１の関係が成立していない時はＳ７１３へ進み、Ｓ７１３にて加熱手段ｂ９又は加熱手段ｃ１０の使用を促す報知を行いＳ７０６へ進む。Ｓ７０６以降の動作は前述の動作と同様であるので、ここでの説明は省略する。
【０２６７】
Ｓ７０４でＡＦの行程へ進んだ場合、図３１のようにＴａ、Ｔｂ、ＴｃがＳ７２０で積算通電時間比較手段２０により比較され、比較された積算通電時間の関係がＴａ≧Ｔｂ≧Ｔｃの関係ならばＳ７２１へ進む。ここでＴａ≧Ｔｂ≧Ｔｃの関係が成立していない時は次行程へ進む。
【０２６８】
Ｓ７２１ではＴａからＴｃを引いた値が積算通電時間比較手段２０によりＴ２と比較され、Ｔ２より大きければＳ７２２へ進み、Ｔ２より小さければＡＧの行程へ進む。Ｓ７２２ではＴａからＴｂを引いた値が積算通電時間比較手段２０によりＴ２と比較され、Ｔ２より大きければＴａがＴｂ、Ｔｃと比較して積算通電時間が長くなっているのでＳ７２３にて加熱手段ｃ１０又は加熱手段ｂ９の使用を促す報知を行いＳ７２４へ進み、Ｔ２より小さければ次行程へ進む。
【０２６９】
Ｓ７２４では加熱手段ｃ１０、加熱手段ｂ９のいずれかまたは両方の操作入力がなされた場合、Ｓ７２３で加熱手段ｃ１０又は加熱手段ｂ９の使用を促す報知を行っているので、Ｓ７２５へ進み、加熱手段ｃ１０又は加熱手段ｂ９の通電を開始する。
【０２７０】
通電が開始されると同時にＳ７２６ではδｔｃ、δｔｂのいずれかまたは両方の通電時間の積算が、積算通電時間記憶手段１９により開始される。次にＳ７２７にて加熱手段ｃ１０、加熱手段ｂ９のいずれかまたは両方の通電が終了するとＳ７２８において、加熱手段ｃ１０が通電されていたのであれば、今回読出したＴｃと今回の通電時間δｔｃを足した値を新しいＴｃとして、加熱手段ｂ９が通電されていたのであれば、今回読出したＴｂと今回の通電時間δｔｂを足した値を新しいＴｂとして、積算通電時間記憶手段１９が記憶して動作を終了する。
【０２７１】
Ｓ７２４において加熱手段ｃ１０、加熱手段ｂ９ではない加熱手段の操作入力がなされた場合、Ｓ７２９にて加熱手段ａ８の操作入力がなされ、Ｓ７３０で使用を促した加熱手段ではないことを報知する。Ｓ７３１でＴａからＴｃを引いた値が積算通電時間比較手段２０によりＴ３と比較されＴ３より大きければＳ７３２へ進み、Ｔ３より小さければＳ７３７へ進む。
【０２７２】
Ｓ７３２へ進むとＴａからＴｃを引いた値がＴ３より大きかったことから、制御手段１１が加熱手段ａ８を駆動するインバータ回路ａ２１への出力を制限する指令を出し、加熱手段ａ８の出力を制限して通電を開始する。
【０２７３】
次にＳ７３３にて加熱手段ａ８が出力制限されていることを報知し、通電が開始されると同時にＳ７３４ではδｔａｒの通電時間の積算が、積算通電時間記憶手段１９により開始される。Ｓ７３５にて加熱手段ａ８の通電が終了するとＳ７３６において、今回読出したＴａと今回の通電時間δｔａｒを足した値を新しいＴａとして、積算通電時間記憶手段１９が記憶して動作を終了する。
【０２７４】
Ｓ７３１でＴａからＴｃを引いた値が積算通電時間比較手段２０によりＴ３と比較され、Ｔ３より小さいことでＳ７３７へ進むと加熱手段ａ８の出力を制限せず通電を開始する。通電が開始されると同時にＳ７３８ではδｔａの通電時間の積算が、積算通電時間記憶手段１９により開始される。
【０２７５】
次にＳ７３９にて加熱手段ａ８の通電が終了するとＳ７４０において、今回読出したＴａと今回の通電時間δｔａを足した値を新しいＴａとして、積算通電時間記憶手段１９が記憶して動作を終了する。
【０２７６】
Ｓ７２１でＴａからＴｃを引いた値がＴ２より小さいと図３０に戻りＡＧの行程へ進み、比較した各々の加熱手段の積算通電時間の差が小さいので加熱手段ａ８、加熱手段ｂ９、加熱手段ｃ１０のどれを使用しても良いとしＳ７０６へ進む。Ｓ７０６以降の動作は前述の動作と同様であるので、ここでの説明は省略する。
【０２７７】
以上の動作により、使用を促した加熱手段と異なる加熱手段を使用する時には、使用を促した加熱手段と異なる加熱手段を使おうとしていることを報知するようにしたので、使用者が現状を把握でき、加熱手段をより選択し易くすることで、使い勝手を向上することができる。
【０２７８】
また、使用者が特定の加熱手段を使いたがる傾向にあっても、積算通電時間が他と比較して大きくなっている加熱手段は出力を制限するようにしたことで、加熱手段の配置や火力の大小等、種々に分かれる複数の加熱手段の使い易さを考慮して制御を構築することができ、加熱調理器としてのメンテナンス時期に達するまでの時間を延ばすことができる。
【０２７９】
また、積算通電時間が他と比較して大きくなっている加熱手段を使用している場合には、その加熱手段の出力を制限していることを、例えば棒グラフのような表示方法で、本来の出力に対して例えば７０から９０％の出力で運転していることを報知することで、使用者が加熱手段の状態を把握でき、加熱手段をより選択し易くすることで、使い勝手を向上することができる。
【０２８０】
また、実施の形態１、２、３、４、５、６、７と同様に、積算通電時間の値が小さい加熱手段の使用を促し、複数の加熱手段をバランス良く使うことを使用者に意識させ、複数の加熱手段をバランス良く使うことで各々の通電時間を近づけることができる。
【０２８１】
また、高周波交流電流が流れていることで高温となって、誘導加熱コイルの絶縁劣化が進行する電磁誘導加熱方式の加熱手段を複数備える加熱調理器では、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。  
【０２８２】
なお、本実施の形態８では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【０２８３】
実施の形態９．
図３２から図３５は本発明の実施の形態９の加熱調理器の動作説明のためのフローチャートであり、本発明の実施の形態９の加熱調理器の動作ついて図３２から図３５を使って説明する。なお、実施の形態９においては、図１から図３で示した実施の形態１の構成を使用するものであり、よってここでの説明は省略する。
【０２８４】
図３２においてメインスイッチ７がＯＮされると、Ｓ８０１ではＴａ、Ｔｂ，Ｔｃが積算通電時間記憶手段１９から各々読出しされる。
読出されたＴａ、Ｔｂ、ＴｃはＳ８０２で積算通電時間比較手段２０により所定の通電時間Ｔｘと比較され、比較された積算通電時間の関係がＴａ≧Ｔｘの関係ならばＳ８０３へ進み、Ｔａ≧Ｔｘの関係が成立していない時はＳ８２９へ進む。
【０２８５】
Ｓ８０３では比較された積算通電時間の関係がＴｂ≧Ｔｘの関係ならばＳ８０４へ進み、Ｔｂ≧Ｔｘの関係が成立していない時はＳ８１４へ進む。Ｓ８０４では比較された積算通電時間の関係がＴｃ≧Ｔｘの関係ならばＳ８０５へ進み、Ｔｃ≧Ｔｘの関係が成立していない時はＳ８０７へ進む。
【０２８６】
Ｓ８０５へ進んだ場合、加熱手段ａ８、ｂ９、ｃ１０が所定の最大通電可能時間に達している状態であるため、メンテナンスを必要としていて通電できないことの報知をして、Ｓ８０６にて加熱手段ａ８、ｂ９、ｃ１０への操作入力を禁止して終了する。
【０２８７】
Ｓ８０４でＳ８０７へ進んだ場合、Ｓ８０７では加熱手段ａ８、ｂ９が所定の最大通電可能時間に達している状態であるため、メンテナンスを必要としていて通電できないことの報知をして、Ｓ８０８にて加熱手段ａ８、ｂ９への操作入力を禁止する。
【０２８８】
次にＳ８０９で加熱手段ｃ１０は通電可能であり、加熱手段ｃ１０への操作入力を受付け、Ｓ８１０で加熱手段ｃ１０の通電を開始、Ｓ８１０で通電が開始されると同時にＳ８１１ではδｔｃの通電時間の積算が、積算通電時間記憶手段１９により開始される。次にＳ８１２にて加熱手段ｃ１０の通電が終了するとＳ８１３において、今回読出したＴｃと今回の通電時間δｔｃを足した値を新しいＴｃとして、積算通電時間記憶手段１９が記憶して動作を終了する。
【０２８９】
Ｓ８０３でＳ８１４へ進んだ場合、Ｓ８１４では比較された積算通電時間の関係がＴｃ≧Ｔｘの関係ならばＳ８１５へ進み、Ｔｃ≧Ｔｘの関係が成立していない時はＳ８２２へ進む。
【０２９０】
Ｓ８１５へ進んだ場合、Ｓ８１５では加熱手段ａ８、ｃ１０が所定の最大通電可能時間に達している状態であるため、メンテナンスを必要としていて通電できないことの報知をして、Ｓ８１６にて加熱手段ａ８、ｃ１０への操作入力を禁止する。
【０２９１】
次にＳ８１７で加熱手段ｂ９は通電可能であり、加熱手段ｂ９への操作入力を受付け、Ｓ８１８で加熱手段ｂ９の通電を開始、Ｓ８１８で通電が開始されると同時にＳ８１９ではδｔｂの通電時間の積算が、積算通電時間記憶手段１９により開始される。次にＳ８２０にて加熱手段ｂ９の通電が終了するとＳ８２１において、今回読出したＴｂと今回の通電時間δｔｂを足した値を新しいＴｂとして、積算通電時間記憶手段１９が記憶して動作を終了する。
【０２９２】
Ｓ８１４でＳ８２２へ進んだ場合、Ｓ８２２では加熱手段ａ８が所定の最大通電可能時間に達している状態であるため、メンテナンスを必要としていて通電できないことの報知をして、Ｓ８２３にて加熱手段ａ８への操作入力を禁止する。
【０２９３】
次にＡＨの行程へ進み、図３３のようにＳ８２４で加熱手段ｂ９、ｃ１０は通電可能であり、加熱手段ｂ９、ｃ１０いずれかまたは両方への操作入力を受付け、Ｓ８２５で加熱手段ｂ９、ｃ１０いずれかまたは両方の通電を開始、Ｓ８２５で通電が開始されると同時にＳ８２６ではδｔｂ、δｔｃいずれかまたは両方の通電時間の積算が、積算通電時間記憶手段１９により開始される。
【０２９４】
次にＳ８２７にて加熱手段ｂ９、ｃ１０いずれかまたは両方の通電が終了するとＳ８２８において、加熱手段ｂ９が通電されていたのであれば、今回読出したＴｂと今回の通電時間δｔｂを足した値を新しいＴｂとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０２９５】
Ｓ８０２でＳ８２９へ進んだ場合、Ｓ８２９では比較された積算通電時間の関係がＴｂ≧Ｔｘの関係ならばＳ８３０へ進み、Ｔｂ≧Ｔｘの関係が成立していない時はＳ８４５へ進む。Ｓ８３０では比較された積算通電時間の関係がＴｃ≧Ｔｘの関係ならばＳ８３１へ進み、Ｔｃ≧Ｔｘの関係が成立していない時はＳ８３８へ進む。
【０２９６】
Ｓ８３１へ進んだ場合、Ｓ８３１では加熱手段ｂ９、ｃ１０が所定の最大通電可能時間に達している状態であるため、メンテナンスを必要としていて通電できないことの報知をして、Ｓ８３２にて加熱手段ｂ９、ｃ１０への操作入力を禁止する。
【０２９７】
次にＳ８３３で加熱手段ａ８は通電可能であり、加熱手段ａ８への操作入力を受付け、Ｓ８３４で加熱手段ａ８の通電を開始、Ｓ８３４で通電が開始されると同時にＳ８３５ではδｔａの通電時間の積算が、積算通電時間記憶手段１９により開始される。次にＳ８３６にて加熱手段ａ８の通電が終了するとＳ８３７において、今回読出したＴａと今回の通電時間δｔａを足した値を新しいＴａとして、積算通電時間記憶手段１９が記憶して動作を終了する。
【０２９８】
Ｓ８３０でＳ８３８へ進んだ場合、Ｓ８３８では加熱手段ｂ９が所定の最大通電可能時間に達している状態であるため、メンテナンスを必要としていて通電できないことの報知をして、Ｓ８３９にて加熱手段ｂ９への操作入力を禁止する。
【０２９９】
次にＡＩの行程へ進み、図３４のようにＳ８４０で加熱手段ａ８、ｃ１０は通電可能であり、加熱手段ａ８、ｃ１０いずれかまたは両方への操作入力を受付け、Ｓ８４１で加熱手段ａ８、ｃ１０いずれかまたは両方の通電を開始、Ｓ８４１で通電が開始されると同時にＳ８４２ではδｔａ、δｔｃいずれかまたは両方の通電時間の積算が、積算通電時間記憶手段１９により開始される。
【０３００】
次にＳ８４３にて加熱手段ａ８、ｃ１０いずれかまたは両方の通電が終了するとＳ８４４において、加熱手段ａ８が通電されていたのであれば、今回読出したＴａと今回の通電時間δｔａを足した値を新しいＴａとして、加熱手段ｃ１０が通電されていたのであれば、今回読出したＴｃと今回の通電時間δｔｃを足した値を新しいＴｃとして、積算通電時間記憶手段１９が記憶して動作を終了する。
【０３０１】
Ｓ８２９でＳ８４５へ進んだ場合、Ｓ８４５では比較された積算通電時間の関係がＴｃ≧Ｔｘの関係ならばＳ８４６へ進み、Ｔｃ≧Ｔｘの関係が成立していない時は次工程へ進む。
【０３０２】
Ｓ８４６へ進んだ場合、Ｓ８４６では加熱手段ｃ１０が所定の最大通電可能時間に達している状態であるため、メンテナンスを必要としていて通電できないことの報知をして、Ｓ８４７にて加熱手段ｃ１０への操作入力を禁止する。
【０３０３】
次にＡＪの行程へ進み、図３５のようにＳ８４８で加熱手段ａ８、ｂ９は通電可能であり、加熱手段ａ８、ｂ９いずれかまたは両方への操作入力を受付け、Ｓ８４９で加熱手段ａ８、ｂ９いずれかまたは両方の通電を開始、Ｓ８４９で通電が開始されると同時にＳ８５０ではδｔａ、δｔｂいずれかまたは両方の通電時間の積算が、積算通電時間記憶手段１９により開始される。
【０３０４】
次にＳ８５１にて加熱手段ａ８、ｂ９いずれかまたは両方の通電が終了するとＳ８５２において、加熱手段ａ８が通電されていたのであれば、今回読出したＴａと今回の通電時間δｔａを足した値を新しいＴａとして、加熱手段ｂ９が通電されていたのであれば、今回読出したＴｂと今回の通電時間δｔｂを足した値を新しいＴｂとして、積算通電時間記憶手段１９が記憶して動作を終了する。
【０３０５】
以上の動作により、所定の通電時間に達した加熱手段は、メンテナンスが必要で通電できないことを報知して使用禁止とし、それ以外の加熱手段は通電可能としたので、使用者が現状を把握でき、加熱手段をより選択し易くすることで、使い勝手を向上することができる。
【０３０６】
なお、本実施の形態９では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【０３０７】
実施の形態１０．
図３６は本発明の実施の形態１０の加熱調理器の電気的構成を示すブロック図、図３７は同加熱調理器の動作説明のためのフローチャートである。なお、実施の形態１０においては、前述の実施の形態１から９における通電時間や積算通電時間に置き換えて、通電回数や積算通電回数を記憶したり、比較したり、報知するようにしたものである。また、実施の形態１０においては、図１から図２で示した実施の形態１の構成を使用するものであり、よってここでの説明は省略する。
【０３０８】
本発明の実施の形態１０の加熱調理器の電気的構成について図３６に基づいて説明する。図３６に示すように、制御手段１０１はＣＰＵ１８と積算通電回数記憶手段１０２と積算通電回数比較手段１０３とを備え、制御手段１０１には天面操作手段５と前面操作手段６とメインスイッチ７の各信号が入力される。また、積算通電回数記憶手段１０２には加熱手段ａ８、加熱手段ｂ９、加熱手段ｃ１０の積算通電回数が各々積算され記憶されるようになっており、メインスイッチがＯＮになると各々の加熱手段の積算通電回数が読出され、積算通電回数比較手段１０３により比較されるようになっている。
さらに、制御手段１０１は、加熱手段ａ８を駆動するインバータ回路ａ２１、加熱手段ｂ９を駆動するインバータ回路ｂ２２、加熱手段ｃ１０を駆動するインバータ回路ｃ２３と、報知手段ａ１２、報知手段ｂ１３、報知手段ｃ１４と、に各種指令を出す。
【０３０９】
以上のように構成された本発明の実施の形態１０の加熱調理器について、図３７により動作を説明する。図３７においてメインスイッチ７がＯＮされると、Ｓ９０１ではＦａ、Ｆｂ，Ｆｃが積算通電回数記憶手段１０２から各々読出しされる。ここで、Ｆａとは積算通電回数記憶手段１０２に記憶されている加熱手段ａ８の積算通電回数、Ｆｂとは積算通電回数記憶手段１０２に記憶されている加熱手段ｂ９の積算通電回数、Ｆｃとは積算通電回数記憶手段１０２に記憶されている加熱手段ｃ１０の積算通電回数のことである。
【０３１０】
読出されたＦａはＳ９０２で積算通電回数比較手段１０３によりＦ１と比較され、比較された積算通電回数の関係がＦａ≧Ｆ１の関係ならばＳ９０３へ進む。ここでＦａ≧Ｆ１の関係が成立していない時はＳ９１４へ進む。ここで、Ｆ１とは予め設定した所定の値のことで、積算通電回数比較手段１０３にデータとして保持されている。
【０３１１】
Ｓ９０３ではＦｂが積算通電回数比較手段１０３によりＦ１と比較され、比較された積算通電回数の関係がＦｂ≧Ｆ１の関係ならばＳ９０４へ進む。ここでＦｂ≧Ｆ１の関係が成立していない時はＳ９１１へ進む。
【０３１２】
Ｓ９０４ではＦｃが積算通電回数比較手段１０３によりＦ１と比較され、比較された積算通電回数の関係がＦｃ≧Ｆ１の関係ならばＳ９０５へ進む。ここでＦｃ≧Ｆ１の関係が成立していない時はＳ９１０へ進む。
【０３１３】
Ｓ９０５では加熱手段ａ８、加熱手段ｂ９、加熱手段ｃ１０のいずれかまたは全ての操作入力を受付け、Ｓ９０６では操作された加熱手段ａ８、加熱手段ｂ９、加熱手段ｃ１０のいずれかまたは全ての通電が開始される。通電が開始されると同時にＳ９０７ではδｆａ、δｆｂ、δｆｃのいずれかまたは全ての通電回数の積算が、積算回数記憶手段１０２により開始される。ここで、δｆａは加熱手段ａ８の１回の通電回数、δｆｂは加熱手段ｂ９の１回の通電回数、δｆｃは加熱手段ｃ１０の１回の通電回数である。
【０３１４】
次にＳ９０８にて加熱手段ａ８、加熱手段ｂ９、加熱手段ｃ１０のいずれかまたは全ての通電が終了するとＳ９０９において、加熱手段ａ８が通電されていたのであれば、今回読出したＦａと今回の通電回数δｆａを足した値を新しいＦａとして、加熱手段ｂ９が通電されていたのであれば、今回読出したＦｂと今回の通電回数δｆｂを足した値を新しいＦｂとして、加熱手段ｃ１０が通電されていたのであれば、今回読出したＦｃと今回の通電回数δｆｃを足した値を新しいＦｃとして、積算通電回数記憶手段１０２が記憶して動作を終了する。
【０３１５】
Ｓ９０２でＳ９１４へ進んだ場合、Ｆｂが積算通電回数比較手段１０３によりＦ１と比較され、比較された積算通電回数の関係がＦｂ≧Ｆ１の関係ならばＳ９１５へ進む。ここでＦｂ≧Ｆ１の関係が成立していない時はＳ９１８へ進む。
【０３１６】
Ｓ９１５ではＦｃが積算通電回数比較手段１０３によりＦ１と比較され、比較された積算通電回数の関係がＦｃ≧Ｆ１の関係ならばＳ９１６へ進み、Ｓ９１６にて加熱手段ａ８の使用を促す報知を行いＳ９０５へ進む。ここでＦｃ≧Ｆ１の関係が成立していない時はＳ９１７へ進み、Ｓ９１７にて加熱手段ａ８又は加熱手段ｃ１０の使用を促す報知を行いＳ９０５へ進む。Ｓ９０５以降の動作は前述の動作と同様であるので、ここでの説明は省略する。
【０３１７】
Ｓ９１４でＳ９１８へ進んだ場合、Ｓ９１８ではＦｃが積算通電回数比較手段１０３によりＦ１と比較され、比較された積算通電回数の関係がＦｃ≧Ｆ１の関係ならばＳ９１９へ進み、Ｓ９１９にて加熱手段ａ８又は加熱手段ｂ９の使用を促す報知を行いＳ９０５へ進む。ここでＦｃ≧Ｆ１の関係が成立していない時は、各々の加熱手段の積算通電回数がＦ１より小さいので加熱手段ａ８、加熱手段ｂ９、加熱手段ｃ１０のどれを使用しても良いとし、特定の加熱手段の使用を促す報知をせずにＳ９０５へ進む。Ｓ９０５以降の動作は前述の動作と同様であるので、ここでの説明は省略する。
【０３１８】
Ｓ９０３でＳ９１１へ進んだ場合、Ｆｃが積算通電回数比較手段１０３によりＦ１と比較され、比較された積算通電回数の関係がＦｃ≧Ｆ１の関係ならばＳ９１２へ進み、Ｓ９１２にて加熱手段ｂ９の使用を促す報知を行いＳ９０５へ進む。ここでＦｃ≧Ｆ１の関係が成立していない時はＳ９１３へ進み、Ｓ９１３にて加熱手段ｂ９又は加熱手段ｃ１０の使用を促す報知を行いＳ９０５へ進む。Ｓ９０５以降の動作は前述の動作と同様であるので、ここでの説明は省略する。
【０３１９】
Ｓ９０４でＳ９１０へ進んだ場合、Ｓ９１０にて加熱手段ｃ１０の使用を促す報知を行いＳ９０５へ進む。Ｓ９０５以降の動作は前述の動作と同様であるので、ここでの説明は省略する。
【０３２０】
以上の動作により、積算通電回数の値が小さい加熱手段の使用を促し、複数の加熱手段をバランス良く使うことを使用者に意識させ、複数の加熱手段をバランス良く使うことで各々の通電回数を近づけることができる。
【０３２１】
また、それにより、高周波交流電流が流れていることで高温となって、誘導加熱コイルの絶縁劣化が進行する電磁誘導加熱方式の加熱手段を複数備える加熱調理器で、特定の加熱手段のみ使用されることがなくなるので、特定の加熱手段の劣化のみが進行することなく、複数の加熱手段のメンテナンス時期を揃え、加熱調理器としてのメンテナンス時期に達するまでの時間を延ばすことができる。
【０３２２】
なお、本実施の形態１０では、加熱手段を電磁誘導加熱方式としたが、電磁誘導加熱方式に限定されるものではなく、通電により劣化が進行する輻射によって加熱される輻射型電気加熱方式の電気ヒータであるニクロム線ヒータ、ハロゲンヒータ、ラジエントヒータ等においても、同様の効果を得ることができる。また、操作手段として天面操作手段５と前面操作手段６を設けてあるが、天面操作手段５だけでも良い。更に、報知手段ａ１２、報知手段ｂ１３、報知手段ｃ１４は表示の形で加熱手段毎に報知するようにしたが、１つにまとめても良く、音声による報知、又は音声と表示の複合による報知でも良い。
【０３２３】
以上のように、複数の加熱手段をバランス良く使うことを使用者に意識させ、複数の加熱手段をバランス良く使うことで各々の通電時間を近づけ、複数の加熱手段のメンテナンス時期を揃えることで、加熱調理器としてのメンテナンス時期に達するまでの時間を延ばすことができ、家庭用の加熱調理器に利用できる。さらには、使用頻度が高い業務用の加熱調理器にも利用できる。
【産業上の利用可能性】
【０３２４】
調理器以外においても、複数の加熱源を備える機器に広く応用可能である。
【符号の説明】
【０３２５】
１  本体
２  容器
３  枠体
４  トッププレート
５  天面操作手段
６  前面操作手段
７  メインスイッチ
８  加熱手段ａ
９  加熱手段ｂ
１０  加熱手段ｃ
１１  制御手段
１２  報知手段ａ
１３  報知手段ｂ
１４  報知手段ｃ
１５  表示窓ａ
１６  表示窓ｂ
１７  表示窓ｃ
１８  ＣＰＵ
１９  積算通電時間記憶手段
２０  積算通電時間比較手段
２１  インバータ回路ａ
２２  インバータ回路ｂ
２３  インバータ回路ｃ
１０１  制御手段
１０２  積算通電回数記憶手段
１０３  積算通電回数比較手段
【図１】
2010165584.tif 000003
【図２】
2010165584.tif 000004
【図３】
2010165584.tif 000005
【図４】
2010165584.tif 000006
【図５】
2010165584.tif 000007
【図６】
2010165584.tif 000008
【図７】
2010165584.tif 000009
【図８】
2010165584.tif 000010
【図９】
2010165584.tif 000011
【図１０】
2010165584.tif 000012
【図１１】
2010165584.tif 000013
【図１２】
2010165584.tif 000014
【図１３】
2010165584.tif 000015
【図１４】
2010165584.tif 000016
【図１５】
2010165584.tif 000017
【図１６】
2010165584.tif 000018
【図１７】
2010165584.tif 000019
【図１８】
2010165584.tif 000020
【図１９】
2010165584.tif 000021
【図２０】
2010165584.tif 000022
【図２１】
2010165584.tif 000023
【図２２】
2010165584.tif 000024
【図２３】
2010165584.tif 000025
【図２４】
2010165584.tif 000026
【図２５】
2010165584.tif 000027
【図２６】
2010165584.tif 000028
【図２７】
2010165584.tif 000029
【図２８】
2010165584.tif 000030
【図２９】
2010165584.tif 000031
【図３０】
2010165584.tif 000032
【図３１】
2010165584.tif 000033
【図３２】
2010165584.tif 000034
【図３３】
2010165584.tif 000035
【図３４】
2010165584.tif 000036
【図３５】
2010165584.tif 000037
【図３６】
2010165584.tif 000038
【図３７】
2010165584.tif 000039